(57)【要約】      （修正有）【課題】映像信号、音声信号、情報信号を記録する際、記録と同時に、過去に記録した信号の通常再生および特殊再生を行うことができるディジタル記録再生装置を提供する。【解決手段】映像信号、音声信号等の信号の記録再生を行なう記録再生装置において、第１の記録媒体と第２の記録媒体を設ける。入力信号を第１の記録媒体に記録するにあたり、一旦、第２の記録媒体に記録させ、所定時間後、第１の記録媒体に転送し、記録する。この所定時間内において、他の記録再生やコマーシャルメッセージ部分の判別などの他の信号処理を行なう。また、第１の記録媒体から信号を再生するにあたり、一旦、第２の記録媒体に記録させ、所定時間後に、出力することにより、同様に所定時間内に他の処理を行なうことができる。【選択図】  図１
2007226956.tif 000002
【特許請求の範囲】
【請求項１】
信号を記録および再生する記録再生装置であって、
第１の信号が入力される入力手段と、
前記第１の信号を第１の記録媒体に記録し、前記第１の記録媒体から前記第１の信号を再生する第１の記録再生手段と、
前記第１の記録再生手段で再生された前記第１の信号を第２の記録媒体に記録し、前記第２の記録媒体から前記第１の信号を再生する第２の記録再生手段と、
前記第２の記録再生手段で再生された前記第１の信号を出力する出力手段と、
信号の処理を制御する制御手段とを備え、
前記制御手段は、前記第１の記録再生手段において前記第１の信号が第１の時刻から第２の時刻にかけて記録されるとき、前記第２の記録再生手段において前記第１の信号が前記第２の時刻から所定時間遅延し、かつ前記第２の時刻よりも先行した第３の時刻から記録開始されるように制御することを特徴とする記録再生装置。
【請求項２】
前記第１の時刻から前記第３の時刻の間において、第２の信号に所定の処理を施す信号処理手段を備えたことを特徴とする請求の範囲第１項に記載の記録再生装置。  
【請求項３】
前記第１および／または前記第２の記録再生手段が単位時間当たりに記録あるいは再生可能な情報量は、前記入力手段に単位時間当たりに入力される第１の信号の情報量よりも大とされてなることを特徴とする請求の範囲第１項に記載の記録再生装置。  
【請求項４】
前記第１の信号を所定の圧縮比で圧縮する圧縮手段、あるいは前記第１の記録再生手段に接続されて信号を蓄積するとともに所定量の信号が蓄積されたときにこれを出力するバッファ手段を備え、  
前記制御手段は、前記第２の記録再生手段において前記第１の信号が記録終了される時刻を第４の時刻として、前記第１の時刻から前記第２の時刻までの第１の時間に対し、前記第３の時刻から前記第４の時刻までの第２の時間を短縮するように制御することを特徴とする請求の範囲第１項に記載の記録再生装置。  
【請求項５】
前記制御手段は、前記第３の時刻から前記第２の時刻の間を複数の時間に分割し、分割された複数の時間毎に、前記第１または第２の記録再生手段のいずれか一方が前記第１の信号の記録または再生を行うように制御することを特徴とする請求の範囲第１項に記載の記録再生装置。  
【請求項６】
前記第２の記録媒体は、テープ状をなすことを特徴とする請求の範囲第１項に記載の記録再生装置。  
【請求項７】
前記第１の記録媒体は、ディスク状をなすことを特徴とする請求の範囲第１項に記載の記録再生装置。  
【請求項８】
前記第１の記録再生装置は、半導体メモリであることを特徴とする請求の範囲第１項に記載の記録再生装置。  
【請求項９】
所定量の信号間をアクセスするときに要するアクセス時間において、前記第１の記録再生手段は、前記第２の記録再生手段に対し、前記アクセス時間が短いことを特徴とする請求の範囲第１項に記載の記録再生装置。  
【請求項１０】
前記第２の信号は、前記入力手段に入力された放送番組としての前記第１の信号であって、  
前記信号処理手段は、前記所定の処理として、前記放送番組の中に含まれるコマーシャル部分を判別することを特徴とする請求の範囲第２項に記載の記録再生装置。  
【請求項１１】
前記入力手段に入力された前記第１の信号が圧縮された圧縮信号であるとき、前記信号処理手段は、前記圧縮信号を伸張した後、コマーシャル部分を判別することを特徴とする請求の範囲第１０項に記載の記録再生装置。  
【請求項１２】
前記第１の記録再生手段から再生された前記第１の信号は、圧縮信号であり、前記圧縮信号は所定時間毎に、時間情報であるタイムスタンプ信号を含んでなり、  
前記信号処理手段は、前記圧縮信号を、前記タイムスタンプ信号を含むように伸張するとともに、前記タイムスタンプ信号に対応してコマーシャル部分を特定し、  
前記制御手段は、前記第２の記録再生手段が圧縮された前記第１の信号を記録するとき、前記信号処理手段における前記タイムスタンプ信号に基づくコマーシャル部分の判別結果を用いて、コマーシャル部分を除外して、または、コマーシャル部分の位置情報を付加して記録するように制御することを特徴とする請求の範囲第１１項に記載の記録再生装置。  
【請求項１３】
前記信号処理手段は、前記所定の処理として、前記第２の記録再生手段において、前記第１の信号とは別の信号を前記第２の信号として記録あるいは再生することを特徴とする請求の範囲第２項に記載の記録再生装置。  
【請求項１４】
前記放送番組は、映像情報および音声情報を含んでなり、  
前記信号処理手段は、前記映像情報および／または音声情報が所定の変化を生じる変化点を検出するとともに、前記変化点が発生する時間間隔を用いてコマーシャル部分を判別することを特徴とする請求の範囲第１０項に記載の記録再生装置。  
【請求項１５】
前記制御手段は、前記第２の記録再生手段が前記第１の信号を記録するとき、前記信号処理手段におけるコマーシャル部分の判別結果を用いて、コマーシャル部分を除外して記録するように制御することを特徴とする請求の範囲第１０項に記載の記録再生装置。  
【請求項１６】
前記制御手段は、前記第２の記録再生手段が前記第１の信号を記録するとき、前記信号処理手段におけるコマーシャル部分の判別結果に関する情報を、前記第１の信号とともに前記第２の媒体に記録するように制御することを特徴とする請求の範囲第１０項に記載の記録再生装置。  
【請求項１７】
前記制御手段は、前記第２の記録再生手段が前記第１の信号を記録するとき、前記信号処理手段におけるコマーシャル部分の判別結果に関する情報を、コマーシャル情報記憶手段に記憶するように制御することを特徴とする請求の範囲第１０項に記載の記録再生装置。  
【請求項１８】
前記制御手段は、前記入力手段に入力された前記第１の信号を複数の部分に分割し、分割されたそれぞれの部分毎に制御することを特徴とする請求の範囲第１項に記載の記録再生装置。  
【請求項１９】
信号を記録および再生する記録再生装置であって、  
第３の信号を第３の記録媒体から再生する第３の記録再生手段と、  
前記第３の記録再生手段で再生された前記第３の信号を第４の記録媒体に記録し、前記第４の記録媒体から前記第３の信号を再生する第４の記録再生手段と、  
前記第４の記録再生手段で再生された前記第３の信号を出力する出力手段と、  
信号の処理を制御する制御手段とを備え、  
前記制御手段は、前記第３の記録再生手段において前記第３の信号が第５の時刻から第６の時刻にかけて再生されるとき、前記出力手段において前記信号が前記第５の時刻から所定時間遅延し、かつ前記第６の時刻よりも先行した第７の時刻から出力開始されるように制御することを特徴とする記録再生装置。  
【請求項２０】
前記第５の時刻から前記第７の時刻の間において、第４の信号に所定の処理を施す信号処理手段を備えたことを特徴とする請求の範囲第１９項に記載の記録再生装置。  
【請求項２１】
前記第４の記録再生手段が単位時間当たりに記録再生可能な情報量は、前記第３の記録再生手段から単位時間当たりに再生される前記第３の信号の情報量よりも大とされてなることを特徴とする請求の範囲第１９項に記載の記録再生装置。  
【請求項２２】
前記制御手段は、前記第７の時刻から前記第６の時刻の間において、前記第４の記録再生手段が、前記第３の記録再生手段から再生された前記第３の信号を記録するとともに、前記第４の記録媒体から記録済の前記第４の信号を再生するように制御することを特徴とする請求の範囲第１９項に記載の記録再生装置。  
【請求項２３】
前記制御手段は、前記第７の時刻から前記第６の時刻の間を複数の時間に分割し、分割された複数の時間毎に、前記第４の記録再生手段が、前記第３の記録再生手段から再生された前記第３の信号を記録するか、または前記第４の記録媒体から記録済の前記第４の信号を再生するように制御することを特徴とする請求の範囲第２２項に記載の記録再生装置。  
【請求項２４】
前記第３の記録媒体は、テープ状をなすことを特徴とする請求の範囲第１９項に記載の記録再生装置。  
【請求項２５】
前記第４の記録媒体は、ディスク状をなすことを特徴とする請求の範囲第１９項に記載の記録再生装置。  
【請求項２６】
前記第４の記録再生装置は、半導体メモリであることを特徴とする請求の範囲第１９項に記載の記録再生装置。  
【請求項２７】
所定量の信号間をアクセスするときに要するアクセス時間において、前記第４の記録再生手段は、前記第３の記録再生手段に対し、前記アクセス時間が短いことを特徴とする請求の範囲第１９項に記載の記録再生装置。  
【請求項２８】
前記第３の記録再生手段から再生された前記第３の信号は放送番組であって、  
前記信号処理手段は、前記第３の記録再生手段から再生された前記第３の信号を前記第４の信号として受信し、前記所定の処理として、前記放送番組の中に含まれるコマーシャル部分を判別することを特徴とする請求の範囲第２０項に記載の記録再生装置。  
【請求項２９】
前記第３の記録再生手段から再生された前記第３の信号が圧縮された圧縮信号であるとき、前記信号処理手段は、前記圧縮信号を伸張した後、コマーシャル部分を判別することを特徴とする請求の範囲第２８項に記載の記録再生装置。  
【請求項３０】
前記第３の記録再生手段から再生された前記第３の信号は、圧縮信号であり、前記圧縮信号は所定時間毎に、時間情報であるタイムスタンプ信号を含んでなり、  
前記信号処理手段は、前記圧縮信号を、前記タイムスタンプ信号を含むように伸張するとともに、前記タイムスタンプ信号に対応してコマーシャル部分を特定し、  
前記制御手段は、前記第４の記録再生手段が圧縮された前記第３の信号を再生するとき、前記信号処理手段における前記タイムスタンプ信号に基づくコマーシャル部分の判別結果を用いて、コマーシャル部分を除外して再生するように前記第４の記録再生手段を制御することを特徴とする請求の範囲第２９項に記載の記録再生装置。  
【請求項３１】
前記放送番組は、映像情報および音声情報を含んでなり、  
前記信号処理手段は、前記映像情報および／または音声情報が所定の変化を生じる変化点を検出するとともに、前記変化点が発生する時間間隔を用いてコマーシャル部分を判別することを特徴とする請求の範囲第２８項に記載の記録再生装置。  
【請求項３２】
前記制御手段は、前記第４の記録再生手段が前記第３の信号を再生するとき、前記信号処理手段におけるコマーシャル部分の判別結果を用いて、コマーシャル部分を除外して再生するように前記第４の記録再生手段を制御することを特徴とする請求の範囲第２８項に記載の記録再生装置。  
【請求項３３】
前記制御手段は、前記第３の記録再生手段から再生された前記第３の信号を複数の部分に分割し、分割されたそれぞれの部分毎に制御することを特徴とする請求の範囲第１９項に記載の記録再生装置。  
【請求項３４】
少なくとも映像信号を含む入力信号を記録再生する第５の記録媒体と第６の記録媒体を具備し、前記の記録媒体間で入出力信号の伝送が相互に可能であるディジタル記録再生装置であって、  
前記第５の記録媒体へ前記入力信号を記録しながら、  
前記第６の記録媒体から再生信号を再生する  
ことを特徴とするディジタル記録再生装置。  
【請求項３５】
少なくとも映像信号を含む入力信号を記録再生する第５の記録媒体と第６の記録媒体を具備し、前記の記録媒体間で入出力信号の伝送が相互に可能であるディジタル記録再生装置であって、  
前記第６の記録媒体の第１の記録位置へ前記入力信号を記録しながら、  
前記第５の記録媒体の第１の記録位置から再生した再生信号を第６の記録媒体の第２の記録位置へ記録し、  
前記第６の記録媒体の第１の記録位置へ記録された前記入力信号を再生して、  
前記第５の記録媒体の第２の記録位置に記録しながら、  
前記第５の記録媒体の第２の記録位置を再生する  
ことを特徴とするディジタル記録再生装置。  
【請求項３６】
請求の範囲第３４項または請求の範囲第３５項に記載のディジタル記録再生装置において、  
前記第５の記録媒体と前記第６の記録媒体は、  
入出力信号速度がそれぞれ異なることを特徴とするディジタル記録再生装置。  
【請求項３７】
信号を第５の記録媒体と第６の記録媒体に記録再生する第５の記録再生手段と第６の記録再生手段を備え、  
前記記録媒体間で入出力信号の伝送が可能であるディジタル記録再生装置であって、  
映像信号、音声信号、情報信号を受信する受信手段と、  
前記映像信号および音声信号に圧縮処理を施し圧縮データを得る圧縮データ生成手段と、  
前記圧縮データを元の映像信号および音声信号に伸張処理する伸張データ生成手段と、  
前記第５の記録媒体および第６の記録媒体に前記圧縮データを記録再生する手段と、  
前記第５の記録媒体および第６の記録媒体に前記圧縮データの記録再生を行う手段と、  
前記第５の記録媒体および前記第６の記録媒体からの再生信号と前記圧縮データ生成手段からの圧縮データとを選択切換するデータ選択手段とを備え、  
前記第５の記録媒体へ前記圧縮データを記録しながら、前記第６の記録媒体を再生することを特徴とするディジタル記録再生装置。  
【請求項３８】
請求の範囲第３７項に記載のディジタル記録再生装置において、テレビジョン放送のコマーシャル開始点および終了点を予測するＣＭ予測手段と、  
該ＣＭ予測結果を記憶するＣＭ履歴記憶手段と、  
前記ＣＭ履歴情報に応じて前記第５の記録媒体および前記第６の記録媒体の記録個所および再生箇所を変更する第１の制御手段と、  
を備えたことを特徴とするディジタル記録再生装置。  
【請求項３９】
請求の範囲第３７項に記載のディジタル記録再生装置において、  
同時に複数のテレビジョン放送を受信するマルチ受信手段と、  
前記マルチ受信手段が受信した信号をそれぞれ圧縮するマルチ圧縮データ生成手段と、  
前記マルチ圧縮データ生成手段より得られた、各々圧縮データを前記第５の記録媒体と前記第６の記録媒体へ記録するマルチ記録手段と、  
を備えたことを特徴とするディジタル記録再生装置。  
【請求項４０】
請求の範囲第３７項に記載のディジタル記録再生装置において、前記圧縮データ生成手段は、  
前記映像信号および／または前記音声信号に応じて圧縮比率が適応的に変化する可変圧縮手段を備え、  
前記第５の記録媒体へ所定容量の記録を行った後に前記第５の記録媒体から前記第６の記録媒体へ前記圧縮データを伝送し記録することを特徴とするディジタル記録再生装置。  
【請求項４１】
請求の範囲第３７項に記載のディジタル記録再生装置において、前記第５の記録媒体へ記録する圧縮データの伝送速度と異なる圧縮データの伝送速度で前記圧縮データ生成手段から前記圧縮データが生成されたことを検出するデータの伝送速度検出手段と、  
該検出結果に基づいて、所定容量の前記圧縮データを前記第６の記録媒体へ記録した後、前記第２記録媒体から第５の記録媒体へ前記圧縮データを伝送し記録することを特徴とするディジタル記録再生装置。  
【請求項４２】
請求の範囲第３７項に記載のディジタル記録再生装置において、  
前記第５の記録媒体を再生すると同時に、  
該第５の記録媒体から再生された圧縮データを前記第６の記録媒体へ伝送し記録する手段と、  
前記第５の記録媒体から過去の映像および音声信号を再生する際において、  
前記第６の記録媒体から再生することを特徴とするディジタル記録再生装置。  
【請求項４３】
請求の範囲第３７項に記載のディジタル記録再生装置において、  
時間情報（タイムコード信号）を発生するタイムコード発生手段と、  
第５の記録媒体と第６の記録媒体にタイムコード信号を記録再生するタイムコード記録再生手段と、  
前記タイムコード信号に応じて第５の記録媒体および第６の記録媒体の再生位置を制御する手段および、前記再生タイムコード信号に応じて前記データ選択手段を切換することを特徴とするディジタル記録再生装置。  
【請求項４４】
請求の範囲第４３項に記載のディジタル記録再生装置において、  
前記受信手段により受信された映像信号、音声信号、情報信号（テレビジョン放送）を前記第５の記録媒体へ記録する手段と、  
前記テレビジョン放送番組の所定部分を前記第６の記録媒体へ記録する手段と、  
前記第６の記録媒体を再生中に、前記第５の記録媒体の再生準備を行う手段と、  
前記再生タイムコード信号に応じて第５の記録媒体および第６の記録媒体の再生位置を制御する手段とを備え、  
前記タイムコード信号に応じて前記第５の記録媒体と前記第６の記録媒体からの再生信号を前記データ選択手段により切換えすることを特徴とするディジタル記録再生装置。  
【請求項４５】
請求の範囲第３９項に記載のディジタル記録再生装置において、  
前記第６の記録媒体へ記録と同時に前記第６の記録媒体を任意の位置から再生する同時記録再生手段を備えることを特徴とするディジタル記録再生装置。  
【請求項４６】
請求の範囲第３４項、第３５項または第３７項に記載のディジタル記録再生装置において、  
前記第５の記録媒体は、磁気テープまたは磁気ディスクまたは光磁気ディスクまたは相変化型光ディスクまたは半導体メモリであることを特徴とするディジタル記録再生装置。  
【請求項４７】
請求の範囲第３４項、第３５項または第３７項に記載のディジタル記録再生装置において、  
前記第６の記録媒体は、磁気テープまたは磁気ディスクまたは光磁気ディスクまたは相変化型光ディスクまたは半導体メモリであることを特徴とするディジタル記録再生装置。  
【請求項４８】
請求の範囲第３４項、第３５項または第３７項に記載のディジタル記録再生装置において、  
前記第５の記録媒体および前記第６の記録媒体の記録容量が異なる記録媒体であることを特徴とするディジタル記録再生装置。  
【請求項４９】
請求の範囲第３７項に記載のディジタル記録再生装置において前記圧縮データ生成手段および伸張データ生成手段は、ＭＰＥＧ方式に準拠することを特徴とするディジタル記録再生装置。  
【請求項５０】
請求の範囲第３７項に記載のディジタル記録再生装置において  
前記圧縮データ生成手段および伸張データ生成手段は、任意に圧縮率および伸張率を設定変更できることを特徴とするディジタル記録再生装置。
【発明の詳細な説明】
【技術分野】
【０００１】
本発明は、記録再生時に他の信号の処理を並行して行なうことが可能である記録再生装置に関する。
【０００２】
特に、映像信号、音声信号、情報信号をディジタル時間軸圧縮・伸張処理を施し、複数の記録媒体へ記録または再生を独立して同時に行うことができるディジタル記録再生装置に関する。
【背景技術】
【０００３】
家庭用の記録再生装置、例えばディジタル記録再生装置（例えばディジタルＶＴＲ）においては、テープの消費量を少なくして、映像の長時間記録を可能にするため、映像信号、音声信号をディジタル化し、さらに高効率符号化によってデータ量の削減を図っている。
【０００４】
例えば、現在商品化されている家庭用ディジタルＶＴＲにおいては、映像信号の情報量を約５分の１（約２５Ｍｂｐｓ）にデータ圧縮し磁気テープへ記録している。映像信号および音声信号をディジタルに置き換えて記録することで、高画質な映像が得られる。
【０００５】
以上のような、映像信号および音声信号の圧縮ディジタル情報を磁気テープや光磁気ディスクへ記録する技術は、特許文献１に開示されている。
【０００６】
また、現行テレビジョン放送においてコマーシャル放送部分の判別を行い、該コマーシャル部分を早見再生する家庭用ＶＴＲが製品化されており、例えば特許文献２に開示されてあって、さらにユーザーの使い勝手を向上している。
【０００７】
【特許文献１】特開平９−１６０７５３号公報
【特許文献２】特開平５−２５０７６２公報
【発明の開示】
【発明が解決しようとする課題】
【０００８】
しかしながら、上記の様な家庭用ディジタルＶＴＲあるいは、家庭用アナログＶＴＲ（例えばＶＨＳ−ＶＴＲ、８ミリＶＴＲ）を用いて、映像信号等の実時間入力信号の記録を行いながら同時に過去に記録した信号の通常再生および特殊再生を行うには、複数の記録再生装置を備えることが必要であった。
【０００９】
また、前記コマーシャル部分を早見再生する家庭用ＶＴＲでは、コマーシャル切換え点を音声モードにより判別を行っていたため、コマーシャル切換え点認識率の低下の問題さらには、コマーシャル部分をカットした再生は不可能であった。
【００１０】
本発明は、上記の様な従来の問題点を解決するものであって、テープ等の記録媒体に記録再生するときに、さらに他の信号の記録再生や信号の処理等を行なうことができる記録再生装置を提供することを目的とする。
【００１１】
特に、映像信号、音声信号、情報信号を記録する際、記録と同時に、過去に記録した信号の通常再生および特殊再生を行うことができるディジタル記録再生装置を提供すること、さらに、前記テレビジョン放送のコマーシャル開始点、終了点を、該ディジタル記録再生装置の再生時或いは記録時において予測することで、前記コマーシャル部分のカット再生、カット記録などのパフォーマンスを実現し、ユーザの使い勝手を向上したディジタル記録再生装置を提供することを目的とする。
【課題を解決するための手段】
【００１２】
本発明は、上記目的を実現するために、
第１の信号が入力される入力手段と、前記第１の信号を第１の記録媒体に記録し、前記第１の記録媒体から前記第１の信号を再生する第１の記録再生手段と、前記第１の記録再生手段で再生された前記第１の信号を第２の記録媒体に記録し、前記第２の記録媒体から前記第１の信号を再生する第２の記録再生手段と、前記第２の記録再生手段で再生された前記第１の信号を出力する出力手段と、信号の処理を制御する制御手段とを備え、前記制御手段は、前記第１の記録再生手段において前記第１の信号が第１の時刻から第２の時刻にかけて記録されるとき、前記第２の記録再生手段において前記第１の信号が前記第２の時刻から所定時間遅延し、かつ前記第２の時刻よりも先行した第３の時刻から記録開始されるように制御する構成とする。これにより、入力された信号を所定時間、遅延させて記録媒体に記録することができる。
【００１３】
また、前記第１の時刻から前記第３の時刻の間において、第２の信号に所定の処理を施す信号処理手段を備えた構成とする。これにより、前記遅延させた時間に他の処理を行なうことができる。
【００１４】
また、前記第１および／または前記第２の記録再生手段が単位時間当たりに記録あるいは再生可能な情報量は、前記入力手段に単位時間当たりに入力される第１の信号の情報量よりも大とされてなる構成とする。これにより、前記第１および／または前記第２の記録再生手段において、前記入力される信号の処理以外の処理も可能となる。
【００１５】
また、前記第１の信号を所定の圧縮比で圧縮する圧縮手段、あるいは前記第１の記録再生手段に接続されて信号を蓄積するとともに所定量の信号が蓄積されたときにこれを出力するバッファ手段を備え、前記制御手段は、前記第２の記録再生手段において前記第１の信号が記録終了される時刻を第４の時刻として、前記第１の時刻から前記第２の時刻までの第１の時間に対し、前記第３の時刻から前記第４の時刻までの第２の時間を短縮するように制御する構成とする。これにより、記録の処理の時間を短縮することができる。
【００１６】
また、前記制御手段は、前記第３の時刻から前記第２の時刻の間を複数の時間に分割し、分割された複数の時間毎に、前記第１または第２の記録再生手段のいずれか一方が前記第１の信号の記録または再生を行うように制御する構成とする。これにより、見かけ上、記録と再生の動作を同時に行なうことができる。
【００１７】
また、前記第２の記録媒体は、テープ状をなし、前記第１の記録媒体は、ディスク状、または半導体メモリである構成とする。これにより、第２の記録媒体において大容量の記録ができ、第１の記録媒体においてはアクセス時間の短い処理ができる。
【００１８】
また、所定量の信号間をアクセスするときに要するアクセス時間において、前記第１の記録再生手段は、前記第２の記録再生手段に対し、前記アクセス時間が短い構成とする。これにより、第２の記録再生手段よりも第１の記録再生手段の処理をすばやく行なうことができる。例えば、第２の記録媒体がアクセス時間の長いテープ状の記録媒体であっても、アクセス時間が短い第１の記録再生装置によりこの短所が補われ、逆に大容量の記録ができるというテープ状の記録媒体の長所を生かすことができる。
【００１９】
また、前記第２の信号は、前記入力手段に入力された放送番組としての前記第１の信号であって、前記信号処理手段は、前記所定の処理として、前記放送番組の中に含まれるコマーシャル部分を判別する構成とする。これにより、前記の遅延させた時間にコマーシャル部分の判別を行なうことができる。
【００２０】
また、前記入力手段に入力された前記第１の信号が圧縮された圧縮信号であるとき、前記信号処理手段は、前記圧縮信号を伸張した後、コマーシャル部分を判別する構成とする。これにより、実際の時間間隔に対応した伸張後の信号によりコマーシャル部分の判別ができる。
【００２１】
前記第１の記録再生手段から再生された前記第１の信号は、圧縮信号であり、前記圧縮信号は所定時間毎に、時間情報であるタイムスタンプ信号を含んでなり、
前記信号処理手段は、前記圧縮信号を、前記タイムスタンプ信号を含むように伸張するとともに、前記タイムスタンプ信号に対応してコマーシャル部分を特定し、
前記制御手段は、前記第２の記録再生手段が圧縮された前記第１の信号を記録するとき、前記信号処理手段における前記タイムスタンプ信号に基づくコマーシャル部分の判別結果を用いて、コマーシャル部分を除外して、または、コマーシャル部分の位置情報を付加して記録するように制御する構成とする。これにより、コマーシャル部分を除外することができ、圧縮されたデータに対してコマーシャル情報を付加することができる。
【００２２】
また、前記信号処理手段は、前記所定の処理として、前記第２の記録再生手段において、前記第１の信号とは別の信号を前記第２の信号として記録あるいは再生する構成とする。これにより、第１の信号を入力時においても、別の信号の処理をすることができる。
【００２３】
また、前記放送番組は、映像情報および音声情報を含んでなり、前記信号処理手段は、前記映像情報および／または音声情報が所定の変化を生じる変化点を検出するとともに、前記変化点が発生する時間間隔を用いてコマーシャル部分を判別する構成とする。これにより、映像情報と音声情報の変化点の時間間隔を用いてコマーシャル部分の判別をすることができる。
【００２４】
また、前記制御手段は、前記第２の記録再生手段が前記第１の信号を記録するとき、前記信号処理手段におけるコマーシャル部分の判別結果を用いて、コマーシャル部分を除外して記録するように制御する構成とする。これにより、コマーシャル部分を除外した信号を記録媒体に記録することができる。
【００２５】
また、前記制御手段は、前記第２の記録再生手段が前記第１の信号を記録するとき、前記信号処理手段におけるコマーシャル部分の判別結果に関する情報を、前記第１の信号とともに前記第２の媒体に記録するように制御する構成とする。これにより、記録媒体にコマーシャル情報が記録されるので、再生時には、記録したコマーシャル情報を参照することができる。
【００２６】
また、前記制御手段は、前記第２の記録再生手段が前記第１の信号を記録するとき、前記信号処理手段におけるコマーシャル部分の判別結果に関する情報を、コマーシャル情報記憶手段に記憶するように制御する構成とする。これにより、コマーシャル情報記憶手段を参照し、コマーシャル情報を得ることが可能となる。
【００２７】
また、前記制御手段は、前記入力手段に入力された前記第１の信号を複数の部分に分割し、分割されたそれぞれの部分毎に制御する構成とする。これにより、前記第１の記録媒体の容量が少なくても処理が可能となる。
【００２８】
また、信号を記録および再生する記録再生装置であって、第３の信号を第３の記録媒体から再生する第３の記録再生手段と、前記第３の記録再生手段で再生された前記第３の信号を第４の記録媒体に記録し、前記第４の記録媒体から前記第３の信号を再生する第４の記録再生手段と、前記第４の記録再生手段で再生された前記第３の信号を出力する出力手段と、信号の処理を制御する制御手段とを備え、前記制御手段は、前記第３の記録再生手段において前記第３の信号が第５の時刻から第６の時刻にかけて再生されるとき、前記出力手段において前記信号が前記第５の時刻から所定時間遅延し、かつ前記第６の時刻よりも先行した第７の時刻から出力開始されるように制御する構成とする。これにより、出力する時刻を再生した時刻より遅延させることができる。
【００２９】
また、前記第５の時刻から前記第７の時刻の間において、第４の信号に所定の処理を施す信号処理手段を備えた構成とする。これにより、遅延させた間に他の処理を行なうことが可能となる。
【００３０】
また、前記第４の記録再生手段が単位時間当たりに記録再生可能な情報量は、前記第３の記録再生手段から単位時間当たりに再生される前記第３の信号の情報量よりも大とされてなる構成とする。これにより、第４の記録媒体は記録、再生の処理が可能となる。
【００３１】
また、前記制御手段は、前記第７の時刻から前記第６の時刻の間において、前記第４の記録再生手段が、前記第３の記録再生手段から再生された前記第３の信号を記録するとともに、前記第４の記録媒体から記録済の前記第４の信号を再生するように制御する構成とする。
【００３２】
また、前記制御手段は、前記第７の時刻から前記第６の時刻の間を複数の時間に分割し、分割された複数の時間毎に、前記第４の記録再生手段が、前記第３の記録再生手段から再生された前記第３の信号を記録するか、または前記第４の記録媒体から記録済の前記第４の信号を再生するように制御する構成とする。これらにより、見かけ上、記録と再生の動作を同時に行なうことが可能となる。
【００３３】
また、前記第３の記録媒体は、テープ状をなし、前記第４の記録媒体は、ディスク状、または半導体メモリである構成とする。これにより、第３の記録媒体において大容量の記録ができ、第４の記録媒体においてはアクセス時間の短い処理ができる。
【００３４】
また、所定量の信号間をアクセスするときに要するアクセス時間において、前記第４の記録再生手段は、前記第３の記録再生手段に対し、前記アクセス時間が短い構成とする。これにより、第３の記録再生手段よりも第４の記録再生手段の処理をすばやく行なうことができる。例えば、第３の記録媒体がアクセス時間の長いテープ状の記録媒体であっても、アクセス時間が短い第４の記録再生装置によりこの短所が補われ、逆に大容量の記録ができるというテープ状の記録媒体の長所を生かすことができる。
【００３５】
また、前記第３の記録再生手段から再生された前記第３の信号は放送番組であって、前記信号処理手段は、前記第３の記録再生手段から再生された前記第３の信号を前記第４の信号として受信し、前記所定の処理として、前記放送番組の中に含まれるコマーシャル部分を判別する構成とする。これにより、前記の遅延させた時間にコマーシャル部分の判別を行なうことができる。
【００３６】
また、前記第３の記録再生手段から再生された前記第３の信号が圧縮された圧縮信号であるとき、前記信号処理手段は、前記圧縮信号を伸張した後、コマーシャル部分を判別する構成とする。これにより、実際の時間間隔に対応した伸張後の信号によりコマーシャル部分の判別ができる。
【００３７】
また、 前記第３の記録再生手段から再生された前記第３の信号は、圧縮信号であり、前記圧縮信号は所定時間毎に、時間情報であるタイムスタンプ信号を含んでなり、
前記信号処理手段は、前記圧縮信号を、前記タイムスタンプ信号を含むように伸張するとともに、前記タイムスタンプ信号に対応してコマーシャル部分を特定し、
前記制御手段は、前記第４の記録再生手段が圧縮された前記第３の信号を再生するとき、前記信号処理手段における前記タイムスタンプ信号に基づくコマーシャル部分の判別結果を用いて、コマーシャル部分を除外して再生するように前記第４の記録再生手段を制御する構成とする。これにより、コマーシャル部分を除外することができ、圧縮されたデータに対してコマーシャル情報を付加することができる。
【００３８】
また、前記放送番組は、映像情報および音声情報を含んでなり、前記信号処理手段は、前記映像情報および／または音声情報が所定の変化を生じる変化点を検出するとともに、前記変化点が発生する時間間隔を用いてコマーシャル部分を判別する構成とする。これにより、映像情報と音声情報の変化点の時間間隔を用いてコマーシャル部分の判別をすることができる。
【００３９】
また、前記制御手段は、前記第４の記録再生手段が前記第３の信号を再生するとき、前記信号処理手段におけるコマーシャル部分の判別結果を用いて、コマーシャル部分を除外して再生するように前記第４の記録再生手段を制御する構成とする。これにより、コマーシャル部分を除外した信号を記録媒体に記録することができる。
【００４０】
また、前記制御手段は、前記第３の記録再生手段から再生された前記第３の信号を複数の部分に分割し、分割されたそれぞれの部分毎に制御する構成とする。これにより、前記第４の記録媒体の容量が少なくても処理が可能となる。
【００４１】
また、少なくとも映像信号を含む入力信号を記録再生する第５の記録媒体と第６の記録媒体を具備し、前記の記録媒体間で入出力信号の伝送が相互に可能であるディジタル記録再生装置であって、前記第５の記録媒体へ前記入力信号を記録しながら、前記第６の記録媒体から再生信号を再生する構成とする。
【００４２】
また、少なくとも映像信号を含む入力信号を記録再生する第５の記録媒体と第６の記録媒体を具備し、前記の記録媒体間で入出力信号の伝送が相互に可能であるディジタル記録再生装置であって、前記第６の記録媒体の第１の記録位置へ前記入力信号を記録しながら、前記第５の記録媒体の第１の記録位置から再生した再生信号を第６の記録媒体の第２の記録位置へ記録し、前記第６の記録媒体の第１の記録位置へ記録された前記入力信号を再生して、前記第５の記録媒体の第２の記録位置に記録しながら、前記第５の記録媒体の第２の記録位置を再生する構成とする。これらにより、見かけ上、記録再生装置に記録しながら再生させることができる。
【００４３】
また、前記第５の記録媒体と前記第６の記録媒体は、入出力信号速度がそれぞれ異なる構成とする。これにより、異なる入出力信号速度において、上記動作を行なう。
【００４４】
また、信号を第５の記録媒体と第６の記録媒体にそれぞれ記録再生する第５の記録再生手段と第６の記録再生手段を備え、前記記録媒体間で相互に入出力信号の伝送が可能であるディジタル記録再生装置であって、前記映像信号、音声信号、情報信号を受信する受信手段と、前記映像信号および音声信号に圧縮処理を施し、圧縮データを得る圧縮データ生成手段と、前記圧縮データを元の映像信号および音声信号に伸張処理する伸張データ生成手段と、前記第５の記録媒体および第６の記録媒体に前記圧縮データを記録再生する手段と、前記第５の記録媒体および第６の記録媒体に前記圧縮データの記録再生を行う手段と、前記第５の記録媒体および前記第６の記録媒体からの再生信号と前記圧縮データ生成手段からの圧縮データとを選択切換するデータ選択手段を備え、前記第５の記録媒体へ前記圧縮データを記録しながら、前記第６の記録媒体を再生する構成とする。これにより、圧縮データの処理が可能となる。
【００４５】
また、テレビジョン放送のコマーシャル開始点および終了点を予測するＣＭ予測手段と、該ＣＭ予測結果を記憶するＣＭ履歴記憶手段と、前記ＣＭ履歴情報に応じて前記第５の記録媒体および前記第６の記録媒体の記録個所および再生箇所を変更する第１の制御手段を備えた構成とする。これにより、コマーシャル部分を除外した再生が可能となる。
【００４６】
また、同時に複数のテレビジョン放送を受信するマルチ受信手段と、前記マルチ受信手段が受信した信号をそれぞれ圧縮するマルチ圧縮データ生成手段と、前記マルチ圧縮データ生成手段より得られた、各々圧縮データを前記第５の記録媒体と前記第６の記録媒体へ記録するマルチ記録手段とを備えた構成とする。これにより、複数のテレビジョン放送を記録することが可能となる。
【００４７】
また、前記圧縮データ生成手段は、前記映像信号およびまたは前記音声信号に応じて圧縮比率が適応的に変化する可変圧縮手段を備え、前記第５の記録媒体へ所定容量の記録を行った後に前記第５の記録媒体から前記第６の記録媒体へ前記圧縮データを伝送し記録する構成とする。これにより、容量を小さくして効率良くデータの処理ができる。
【００４８】
また、前記第５の記録媒体へ記録する圧縮データの伝送速度と異なる圧縮データの伝送速度で前記圧縮データ生成手段から前記圧縮データが生成されたことを検出するデータの伝送速度検出手段と、該検出結果に基づいて、所定容量の前記圧縮データを前記第６の記録媒体へ記録した後、前記第２記録媒体から第５の記録媒体へ前記圧縮データを伝送し記録する構成とする。これにより、効率良く記録媒体に記録することができる。
【００４９】
また、前記第５の記録媒体を再生すると同時に、該第５の記録媒体から再生された圧縮データを前記第６の記録媒体へ伝送し記録する手段と、前記第５の記録媒体から過去の映像および音声信号を再生する際において、前記第６の記録媒体から再生する構成とする。これにより、効率的に記録再生ができる。
【００５０】
また、時間情報（タイムコード信号）を発生するタイムコード発生手段と、第５の記録媒体と第６の記録媒体にタイムコード信号を記録再生するタイムコード記録再生手段と、前記タイムコード信号に応じて第５の記録媒体および第６の記録媒体の再生位置を制御する手段および、前記再生タイムコード信号に応じて前記データ選択手段を切換する構成とする。これにより、時間情報の管理を行なうことが可能となる。
【００５１】
また、前記受信手段により受信された映像信号、音声信号、情報信号（テレビジョン放送）を前記第５の記録媒体へ記録する手段と、前記テレビジョン放送番組の所定部分を前記第６の記録媒体へ記録する手段と、前記第６の記録媒体を再生中に、前記第５の記録媒体の再生準備を行う手段と、前記再生タイムコード信号に応じて第５の記録媒体および第６の記録媒体の再生位置を制御する手段を備え、前記タイムコード信号に応じて前記第５の記録媒体と前記第６の記録媒体からの再生信号を前記データ選択手段により切換えする構成とする。これにより、効率良く、再生位置を制御し、記録再生を行なうことができる。
【００５２】
また、前記第６の記録媒体へ記録と同時に前記第６の記録媒体を任意の位置から再生する同時記録再生手段を備える構成とする。これにより、第６の記録媒体において、同時に記録再生を行なう。
【００５３】
また、前記第５の記録媒体は、磁気テープまたは磁気ディスクまたは光磁気ディスクまたは相変化型光ディスクまたは半導体メモリであり、前記第６の記録媒体は、磁気テープまたは磁気ディスクまたは光磁気ディスクまたは相変化型光ディスクまたは半導体メモリである構成とする。これにより、複数種類の記録媒体を用いて上記動作を行なうことができる。
【００５４】
また、前記第５の記録媒体および前記第６の記録媒体の記録容量が異なる記録媒体である構成とする。これにより、容量が異なる記録媒体において上記動作を行なう。
【００５５】
また、前記圧縮データ生成手段および伸張データ生成手段は、ＭＰＥＧ方式に準拠する構成とする。これにより、ＭＰＥＧ方式でデータの圧縮、伸張処理を行なう。
【００５６】
また、前記圧縮データ生成手段および伸張データ生成手段は、任意に圧縮率および伸張率を設定変更できる構成とする。これにより、より効率的なデータ処理が可能である。
【発明の効果】
【００５７】
以上説明したように、本発明の記録再生装置を用いることにより、磁気テープ等の記録媒体において、記録または再生するとき、ＨＤＤ等の記録媒体を用いることにより、さらに、他の処理も並行して行なうことができ、使い勝手が向上する。
【００５８】
特に、ディジタル記録再生装置を用いることによって、ディジタル記録再生装置へテレビジョン信号を記録しながら、同時に記録済みの番組を再生することができる。
【００５９】
さらに、本発明によれば、磁気テープの記録済み番組の頭出しを見かけ上瞬時に行うことができる。
【００６０】
さらに、本発明によれば、番組を記録しながら当該記録中の記録済み部分の番組を任意の部分から再生することができる。
【００６１】
また、本発明によれば、テレビジョン放送の番組の部分とその途中に挿入されるＣＭ部分とを記録時または再生時に判別し、再生時にＣＭ部分を除外し、番組部分のみを視聴することができる。
【００６２】
また、本発明によれば、番組を録画中あるいは予約録画中、当該番組が予定終了時刻より越えて延長放送が成された時においても当該番組と放送時刻がオーバーラップする裏番組を録画あるいは予約録画することができる。
【００６３】
また、本発明によれば、ＨＤＤをデータバッファとして流用し、所定容量毎にディジタルＶＴＲ装置を間欠記録することで、見かけ上ディジタルＶＴＲ装置５１のデータ記録レートを変更することができ、磁気テープを有効利用することができる。
【００６４】
また、本発明は、磁気テープの代わりに、磁気ディスクまたは光磁気ディスクまたは相変化型光ディスクまたは半導体メモリを用い、ＨＤＤの代わりに磁気ディスクまたは光磁気ディスクまたは相変化型光ディスクまたは半導体メモリを用いた場合においても上記同様の効果が得られる。
【００６５】
また、本発明は、ＶＴＲなどの媒体上に信号を連続して記録する記録媒体の同一の記録媒体上の異なる個所に同時に複数の入力信号を記録することできる。
【発明を実施するための最良の形態】
【００６６】
発明を実施するための最良の形態
本発明にかかるディジタル記録再生装置の構成および映像信号、音声信号の処理について図面を参照しながら詳細に説明する。
【００６７】
以下の説明では、ディジタル記録再生装置の動作を説明するために、第１の記録媒体として磁気テープを、第２の記録媒体としてハードディスク（以下ＨＤＤ）を例にとって説明する。なお、本発明を実施するに当たっては、第１の記録媒体が、磁気ディスクまたは光磁気ディスクまたは相変化型光ディスクまたは半導体メモリであってよく、同様に、第２の記録媒体が、磁気ディスクまたは光磁気ディスクまたは相変化型光ディスクまたは半導体メモリであってもよい。
【実施例１】
【００６８】
第１図を用いて、本発明の第１の実施の形態にかかるディジタル記録再生装置の構成および信号処理を説明する。第１図は、第１の実施の形態にかかるディジタル記録再生装置の構成を示したブロック図である。
【００６９】
ディジタル記録再生装置１は、アナログテレビジョン放送を受信し、受信した信号をディジタル信号に変換し、ディジタルデータを圧縮してディジタル圧縮データを出力する受信・圧縮処理部３と、ディジタル圧縮データを記録し再生する記録・再生部５と、ディジタル圧縮データを伸長してアナログ信号に戻す伸長・再生処理部７と、各処理部の間のディジタル圧縮データの転送と記録・再生部５を制御する制御部９とから構成される。
【００７０】
受信・圧縮処理部３は、アナログ受信機３１と、ＶＢ１デコーダ３２と、映像用アナログ−ディジタル変換器（以下、映像ＡＤＣという）３３と、音声用アナログ−ディジタル変換器（以下、音声ＡＤＣという）３４と、ビデオデコーダ３５と、データ圧縮装置３６とを有している。
【００７１】
記録・再生部５は、第１の記録再生手段であるディジタルＶＴＲ記録再生装置５１と、第２の記録再生手段であるハードディスク記録再生装置５２と、第１の記録再生装置への記録処理を実行する第１のディジタル記録処理部５３と、第１の記録再生装置からの再生処理を実行する第１のディジタル再生処理部５４と、第２の記録再生装置への記録処理を実行する第２のディジタル記録処理部５５と、第２の記録再生装置からの再生処理を実行する第２のディジタル再生処理部５６とを有している。さらに、記録・再生部５は、ディジタル信号の経路を切り替える３個のスイッチ回路５７，５８，５９を有している。
【００７２】
伸長・再生処理部７は、データ伸長装置７１と、ビデオエンコーダ７２と、音声用ディジタル−アナログ変換器（以下、音声ＤＡＣという）７３と、映像用ディジタル−アナログ変換器（以下、映像ＤＡＣという）７４とを有している。
【００７３】
制御部９は、マイコンを用いて構成される制御器９１と、表示パネル９２と、操作パネル９３を有して構成される。
【００７４】
受信・圧縮処理部３のアナログ受信機３１は、アンテナ１０で受信したアナログテレビジョン放送の所望のチャンネルを選択的に受信し、アナログの映像信号およびアナログの音声信号を出力する。
【００７５】
ＶＢＩデコーダ３２は、映像信号の垂直帰線期間に多重されている情報信号をデコード処理する。該情報信号には、例えば、文字情報、字幕情報、ニュース情報等が含まれている。
【００７６】
映像ＡＤＣ３３は、アナログの映像信号をディジタルの映像信号に変換する。
【００７７】
音声ＡＤＣ３４は、アナログの音声信号をディジタルの音声信号に変換する。
【００７８】
ビデオデコーダ３５は、ディジタル映像信号をＩＴＵ−Ｒ ＢＴ．６０１（国際電気通信連合無線通信センタ）準拠のディジタルデータに変換する。
【００７９】
データ圧縮装置３６は、例えば、ディジタル映像信号をＭＰＥＧ２（Ｍｏｖｉｎｇ Ｐｉｃｔｕｒｅ Ｅｘｐｅｒｔｓ Ｇｒｏｕｐ ２）で高効率符号化して映像ディジタル圧縮データを生成するとともに、音声ディジタル信号およびデコードした情報信号を映像ディジタル圧縮データに重畳する。
【００８０】
この映像ディジタル圧縮データは、スイッチ回路５７のＥ接点を介してディジタル記録処理部５３へ、直接ディジタル記録処理部５５へ、スイッチ回路５９の接点ＥＥへを介してデータ伸長装置７１へ送出される。
【００８１】
記録・再生部５の、第１の記録再生手段５１にはディジタルＶＴＲ記録再生装置（以下、ディジタルＶＴＲ装置という）を用い、第２の記録再生手段５２にはハードディスク記録再生装置（以下、ＨＤＤ装置という）を用いた。
【００８２】
ディジタル記録処理部５３およびディジタル記録処理部５５は、ほぼ同様な機能を有しており、ディジタル記録処理部５３，５５には、それぞれバッファ、エラー訂正符号のエンコード回路、フレーム化回路、およびチャンネル変調回路等が含まれ、映像ディジタル圧縮データに対して、エラー訂正符号のエンコード処理およびフレーム化処理ならびにチャンネル変調処理を施す。
【００８３】
ディジタル記録処理部５３には、データ圧縮装置３６からの映像ディジタル圧縮データがスイッチ回路５７のＥ接点を介して、ディジタル再生処理部５６からの映像ディジタル圧縮データがＦ接点を介して入力される。
【００８４】
ディジタル記録処理部５３の出力信号は、ディジタルＶＴＲ装置５１に供給されて磁気テープに記録される。ここで、磁気テープには、映像ディジタル圧縮データの他に、前記情報信号や制御器９１内で発生されるタイムコード信号が記録される。
【００８５】
同様に、ディジタル記録処理部５５には、データ圧縮装置３６からの映像ディジタル圧縮データが直接、ディジタル再生処理部５４からの映像ディジタル圧縮データがスイッチ回路５８のＢ接点を介して入力される。
【００８６】
ディジタル記録処理部５５の出力信号は、ＨＤＤ装置５２に供給されてハードディスクに記録される。ＨＤＤには、ディジタルＶＴＲ装置５１と同様に、映像ディジタル圧縮データの他に、前記情報信号や制御器２２内で発生されるタイムコード信号が記録される。
【００８７】
ディジタル再生処理部５４とディジタル再生処理部５６は、ほぼ同様な機能を有しており、ディジタル再生処理部５４，５６は、チャンネル復調回路、エラー訂正符号のデコード回路、およびフレーム分解回路を有しており、再生信号に対して、チャンネル復調処理およびエラー訂正符号のデコード処理ならびにフレーム分解処理を施す。
【００８８】
ディジタル再生処理部５４の出力は、スイッチ回路５８のＡ接点を介してスイッチ回路５９のＴａｐｅ接点へ、Ｂ接点を介してディジタル記録処理部５５へ出力される。
【００８９】
ディジタル再生処理部５６の出力は、スイッチ回路５７のＦ接点を介してディジタル記録処理部５３と、スイッチ回路５９のＨＤＤ接点へ出力される。
【００９０】
伸長・再生部７の、データ伸長装置７１は、データ圧縮装置３６またはディジタル再生処理部５４もしくはディジタル再生処理部５６から送られてきた映像ディジタル圧縮データを、例えばＭＰＥＧ２の伸張処理によりＩＴＵ−Ｒ ＢＴ．６０１（国際電気通信連合無線通信センタ）準拠のディジタル映像データおよびディジタル音声データに伸張処理し、ビデオエンコーダ７２および音声ＤＡＣ７３へ送出する。
【００９１】
ビデオエンコーダ７２は、伸長されたディジタル映像データをディジタル映像信号に変換し、映像ＤＡＣ７４に送出する。
【００９２】
映像ＤＡＣ７４は、ディジタル映像信号をアナログ映像信号に変換し、映像出力端子７６に出力する。
【００９３】
音声ＤＡＣ７３では、伸張されたディジタル音声データをアナログの音声信号に変換して音声出力端子７５へ出力する。
【００９４】
制御器９１は、スイッチ回路５７、スイッチ回路５８、スイッチ回路５９の切換を制御するとともに、デジタルＶＴＲ装置５１およびＨＤＤ装置５２の駆動系の制御を行う。さらに、この制御器９１には、操作パネル９３および表示パネル９２が接続される。
【００９５】
以下、この実施の形態にかかるディジタル記録再生装置を用いて、番組をディジタルＶＴＲ記録再生装置５１で記録動作中に前回記録済みの番組をディジタルＶＴＲ記録再生装置５１から同時に再生して視聴する態様である、番組記録中の別番組同時再生動作について、第２図および第３図を用いて説明する。
【００９６】
第２図は、ディジタルＶＴＲ記録再生装置５１に搭載した一巻の磁気テープ５１１において、番組を記録した記録済み番組領域５１１ａと未記録領域（これから記録する領域）５１１ｂとの関係を示す図である。
【００９７】
第３図は、この実施の形態にかかるデータの転送例を示す図である。
【００９８】
ここで、アクセス時間Ｔａは、テープ上の現在の再生位置から未記領域の先頭位置までテープを早送りするとき（記録位置づけ）に必要な最大の時間、または、現在の記録位置からテープ上の再生再開位置まで巻き戻すとき（再生位置づけ）に必要な最大の時間をいい、この例では、９０秒とする。
【００９９】
また、映像・音声圧縮データレートは、磁気テープの記録再生データレートよりも低いと仮定する。すなわち、受信・圧縮処理部（ＴＶ受信機）３のデータ圧縮装置３６の映像・音声圧縮データレートと、伸長・再生処理部７のデータ伸長装置７１の映像・音声伸長データレートをそれぞれ４Ｍｂｐｓとし、磁気テープ５１１およびＨＤＤ装置５２の記録再生データレートを１２Ｍｂｐｓとする。
【０１００】
上記磁気テープ５１１の記録済み番組領域５１１ａを再生しながら、未記録領域５１１ｂへ再生と同時に記録する動作は、大容量のＨＤＤ装置５２をバッファとして見かけ上記録と再生動作の並列処理を行うものである。ＨＤＤ装置５２は時分割で記録と再生動作を行っている。これは、所定時間を複数の時間に分割し、記録動作、または、再生動作を分けて行なうことである。ディジタル記録処理部５５およびディジタル再生処理部５６に内蔵するバッファメモリを介することによって、上記記録動作と再生動作の並列処理をエミュレートしている。以下の実施の形態でもＨＤＤ装置５２は同様の動作をする。ＨＤＤ装置５２は磁気テープに比べてアクセス速度が高速であり、バッファには十分対応可能である。
【０１０１】
なお、ここでは説明のためＨＤＤ装置５２を例に説明するが、光ディスク、光磁気ディスク等のディスク状記録媒体あるいは半導体メモリ等のランダムアクセスに適した記録媒体であればＨＤＤ装置５２装置以外の別手段を用いても良い。
【０１０２】
ここで、磁気テープの最大位置づけ時間、すなわち、既に記録した番組を再生しているテープの位置から番組の記録を開始する未記録領域までテープを早送りするに必要な時間または、記録位置から番組再生位置までテープを巻き戻すに必要な時間を、例えば９０秒と仮定する。ここでは、説明のために、磁気テープの記録再生データレートを１２Ｍｂｐｓ、映像・音声圧縮データレートを４Ｍｂｐｓとする。
【０１０３】
まず、磁気テープを再生するために、再生開始場所に位置付けを行う。この位置づけには最大９０秒あればよい。磁気テープを位置付けしている期間は、テレビジョン受信機３からの映像・音声信号を基に生成したディジタル圧縮データ（ここでは、記録データという）をＨＤＤ装置５２へ記録する。この記録は、最低４Ｍｂｐｓのデータレートで行えばよい。
【０１０４】
次に、スイッチ回路５８を接点Ｂへ切り替え、磁気テープを所定量（例えば３分間）再生した所定量（２７０Ｍｂｙｔｅ）のデータ（ここでは、再生データという）を転送してＨＤＤ装置５２へ記録する。この転送を、最低１２Ｍｂｐｓのデータレートで行えば、３分間で転送することができる。
【０１０５】
このとき、前記テレビジョン受信機３からの映像・音声信号を基に生成したディジタル圧縮データをＨＤＤ装置５２へ記録する動作は引き続き並行処理される。
【０１０６】
さらに、ＨＤＤ装置５２に記録された再生データを読み出し、データ伸長装置へ転送し、再生映像および音声信号を視聴可能とする。この転送は、最低４Ｍｂｐｓのデータレートで行えばよい。
【０１０７】
磁気テープ５１１からＨＤＤ装置５２へ所定容量（２７０Ｍｂｙｔｅ）の再生データの記録を終了すると、磁気テープ５１１は、未記録領域５１１ｂの所定位置へ位置づけを行う。
【０１０８】
この間も、記録データをＨＤＤ装置５２へ記録する動作、および再生データをＨＤＤ装置５２から読み出す動作は、引き続き並行処理される。
【０１０９】
次に、スイッチ回路５９を接点ＨＤＤ装置５２に、スイッチ回路５７の接点をＦに切り替え、ＨＤＤ装置５２から磁気テープ５１１の記録領域５１１ｂへ記録データを転送して所定容量（２７０Ｍｂｙｔｅ）の複写を行う。
【０１１０】
上記のように高いデータレートで磁気テープに転送を行なえば短時間で転送が済み前後に多くの時間をあてることができる。
【０１１１】
この複写と並行して、先ほどＨＤＤ装置５２に格納した再生データを出力し、再生映像および音声信号を視聴可能とするとともに、テレビジョン受信機３からの記録データをＨＤＤ装置５２へ記録する動作を、引き続き並行処理する。
【０１１２】
これらの処理ではＨＤＤ装置５２が見かけ上同時に記録再生を行なうように振る舞うが、ディジタル圧縮データの記録と再生を短い周期で繰り返せばよい。また、ＨＤＤ装置５２に複数のヘッドを設けてもよい。
【０１１３】
以上の一連の動作を繰り返すことによって、見かけ上テレビジョン信号を記録しながら、同時に記録済みの番組を再生することが本発明の実施形態のディジタル記録再生装置１台で実現できる。
【０１１４】
上記一連の動作を短い周期で繰り返すことにより、ＨＤＤ装置の使用されるべき容量を小さくすることができる。
【０１１５】
第４図を用いて、ＨＤＤ装置をバッファとして用いる場合の、映像・音声圧縮データレートとＨＤＤ装置５２の容量の計算結果説明する。
【０１１６】
第４図は、映像・音声圧縮データレート（Ｍｂｐｓ）を横軸に、ＨＤＤ装置５２のバッファとして必要とするＨＤＤ装置５２容量（Ｍｂｙｔｅ）を縦軸に示す。上記条件下では、バッファとして必要とされるＨＤＤ装置５２容量は２７０Ｍｂｙｔｅ程度であり、安価に実現可能であることがわかる。
【０１１７】
また、記録・再生部に容量の大きなシリアルアクセスの記録再生装置（ＶＴＲ）と高速にアクセスできるランダムアクセス可能な記録再生装置（ＨＤＤ）を備えた同じ機能ブロック構成を有するディジタル記録再生装置を用いて、見かけ上磁気テープ５１１の記録済み番組の頭出しを瞬時に行うように動作させることこともできる。
【０１１８】
この動作は、番組を記録する際に磁気テープ５１１とＨＤＤ装置５２へ同一内容の記録を行う。このとき、ＨＤＤ装置５２には、前記番組の先頭から所定期間のデータのみを記録する。
【０１１９】
再生動作は、ＨＤＤ装置５２からディジタル圧縮データを再生し、上記番組の即時再生を行う。その期間、磁気テープ５１１は当該番組の頭出しを行う。この頭出しは、前記ＨＤＤ装置５２の現在の再生位置よりも所定時間後を目標として位置付けを行う。
【０１２０】
この位置付けを終了すると、磁気テープ５１１を再生状態にし、現在のＨＤＤ装置５２と磁気テープ５１１再生のディジタル圧縮データの時間軸の同期を磁気テープ５１１の速度を変化させて一致させる（以下、調相動作という）。調相動作が完了すると、スイッチ回路５９を接点ＨＤＤからＴａｐｅへ切り替え、ディジタル圧縮データの再生をＨＤＤ装置５２から磁気テープ５１１に切り換える。以降は磁気テープ５１１からの再生を視聴する。
【０１２１】
上記調相動作は、ＨＤＤ装置５２および磁気テープ５１１へ記録されているタイムコードを基に、両者のタイムコードが一致するように磁気テープ５１１の再生位置をずらすことにより実現できる。
【０１２２】
さらに、この実施の形態にかかるディジタル記録再生装置と同じ機能ブロック構成を有するディジタル記録再生装置を用いて、記録中の番組の記録を継続しながら当該記録されている番組を最初から再生することもできる。
【０１２３】
本機能は、ユーザにとって大変必要とされている機能である。例えば、午後９：００から午後９：５４までの番組を予約録画設定しておき、ユーザが午後９：２０に帰宅しても上記予約録画を停止あるいは終了することなくユーザは当該番組を最初（午後９：００から）から視聴することができる機能である。この動作を第１図および第２図を用いて説明する。
【０１２４】
予約録画の設定は操作パネル９３および表示パネル９２を用いてユーザは希望する番組のチャンネルと開始時刻と終了時刻を登録する。
【０１２５】
設定時刻がくると、ディジタルＶＴＲ装置５１は、磁気テープ５１１上に当該番組の映像・音声信号のディジタル圧縮データの記録を開始する。
【０１２６】
同時に、ＨＤＤ装置５２は、上記と同一のディジタル圧縮データを記録する。
【０１２７】
このとき、スイッチ回路５７は接点Ｅ、スイッチ回路５７は接点Ａ、スイッチ回路５９は接点ＨＤＤに切り替えられている。
【０１２８】
番組を録画期間中に当該番組を最初から視聴する場合、ＨＤＤ装置５２より前記ディジタル圧縮データを再生し、ディジタル圧縮データをデコード処理することで元の映像・音声信号を得る。上記ＨＤＤ装置５２から再生処理されている間においてもディジタルＶＴＲ装置５１は、当該番組の記録を継続している。
【０１２９】
ＨＤＤ装置５２から再生される圧縮データのタイムコード値が現在ディジタルＶＴＲ装置５１へ記録しているディジタル圧縮データのタイムコード以上となる場合は、スイッチ回路５９を接点ＥＥに切り替え、放送中の番組をリアルタイムで視聴する状態にする。
【０１３０】
したがって、ユーザは、当該番組が記録された時刻以前の番組を、過去再生、可変速再生、リトライ再生を行うことによって自由に視聴することができる。
【０１３１】
以上、本発明の第１の実施の形態によれば、ディジタル記録再生装置の記録媒体にテレビジョン信号を記録しながら、同時に同一の記録媒体に記録済みの番組を再生することができる。
【０１３２】
さらに、磁気テープ５１１の記録済み番組の頭出しを見かけ上瞬時に行うことができる。さらに、番組を記録しながら当該記録中の記録済み部分の番組を任意の部分から再生することができる。
【０１３３】
以上、本発明の第１の実施の形態によれば、ディジタル記録再生装置の記録媒体にテレビジョン信号を記録しながら、同時に同一の記録媒体に記録済み部分の番組を再生することができる。
【０１３４】
さらに、磁気テープ５１１の記録済み番組の頭出しをみかけ上瞬時に行なうことができる。さらに、番組を記録しながら当該記録中の記録済み部分の番組を任意の部分から再生することができる。
【０１３５】
なお、第１の実施の形態では、圧縮および伸張手段をＭＰＥＧ２を例に説明したが、圧縮および伸張手段としてその他の圧縮手段を用いて構成しても良い。
【実施例２】
【０１３６】
次に、本発明の第２の実施形態におけるディジタル記録再生装置について説明する。
【０１３７】
本発明の第２の実施の形態は、テレビジョン放送の番組の部分とその途中に挿入されるコマーシャル（以下、ＣＭという）部分とを記録時または再生時に判別し、再生時にＣＭ部分のみを除外（見かけ上瞬時にカット、早見再生、あるいは、早送り）して、番組部分を視聴できるようにした形態である。
【０１３８】
まず、番組とＣＭとの判別方法について以下に説明する。現在、番組とＣＭとを判別する方式として多種多様な判別方式がある。ここでは、例として音声モードによって判別する方式と、映像信号および音声信号から判別する方式について説明する。なお、番組／ＣＭ判別手段は、これらの上記説明した手段に限定されず、他の判別手段を用いることができる。
【０１３９】
音声モードによる判別方式は、テレビジョン受信信号の音声信号が、２カ国語放送の信号であるか、モノラル放送の信号であるか、ステレオ放送の信号であるかによって、番組であるかＣＭであるかを判別する。すなわち、テレビジョン放送は、モノラル音声あるいは２カ国語放送によって番組を放送する場合が多く、ＣＭをステレオ音声によって放送している。したがって、音声信号の音声モードがステレオである部分がＣＭに相当する場合が多い。しかし、最近のテレビジョン放送では、ステレオ音声による番組が増え、上記方式によるＣＭ認識率が低下してきた。
【０１４０】
そこで、音声モードによる判別方式によらないで、音声信号と映像信号と時間管理手段を用いてＣＭを判別する手段がある。
【０１４１】
ＣＭの開始および終了時には必ず１００ｍｓｅｃ以上の無音部分が存在し、且つ、映像信号もＣＭの開始および終了時に必ずシーンチェンジのために映像信号のレベルが急激に変化する。
【０１４２】
したがって、音声信号が無音となる部分で且つ映像信号が急瞬なレベル変化を示す部分を、ＣＭの開始点あるいは終了点の候補としてＣＭ期間を判断することが考えられる。
【０１４３】
しかしながら、この判別方法だけでは、番組中に上記と同様な音声信号状態および映像信号状態が発生する可能性があり、判別を誤るおそれがある。
【０１４４】
そこで、上記のＣＭの開始・終了点候補による判別方式に、さらに、時間条件を付加して番組／ＣＭ判別を行うことが考えられる。すなわち、番組に挿入されるＣＭは、多くの場合複数のＣＭで構成され、その時間は所定時間（例えば１５秒の倍数）で管理されている。
【０１４５】
したがって、上記ＣＭの開始点あるいは終了点の候補点が所定時間（例えば１５秒もしくはその整数倍）間隔で複数回連続して、または、定時間以上連続して発生したならば、その間はＣＭと判別することができる。
【０１４６】
上記方法で判別されたＣＭ部分は以下のような再生方法によりＣＭ部分を除外（カット、早見再生、または、早送り）して再生がなされる。
【０１４７】
第１１図、第１２図に上記ＣＭ部分の除外再生動作のイメージ図を示す。第１１図は、テープ上に番組Ａ、番組Ｂ、番組Ｃが、番組Ａと番組Ｂの間にＣＭが４つ、番組Ｂと番組Ｃの間にＣＭが２つ記録されている。前記ＨＤＤ装置はＣＭ部分をジャンプ読み出しし、テープ上に記録する。再生時はテープ上には、もはやＣＭ部分の記録はなく、番組Ａ、番組Ｂ、番組Ｃが連続して再生される（第１１図）。あるいは、テープ上にはＣＭ部分も含めて記録をして、再生時には上記ＨＤＤ装置でバッファリングし、上記方法で判断されたＣＭ情報をもとに、瞬時にＣＭ部分を除外（カット、早見再生、または、早送り）をする（第１２図）ことにより、番組Ａ、番組Ｂ、番組Ｃがあたかも連続して再生される。あるいはＣＭだけを高速再生するように動作が行われる。
【０１４８】
以下に上記のＣＭ判別方法を用いたディジタル記録再生装置の例を示す。先ず、第１の例として、第５図および第６図を用いて説明する。第５図は、ディジタル記録再生装置の構成を示したブロック図であり、第１の実施の形態と同一部分は同一の符号を付け、それらの詳細な説明は省略する。第６図は、ＣＭカット機能の構成と動作の態様を説明する図である。
【０１４９】
この例におけるディジタル記録再生装置１は、第１の実施の形態に示した装置に比較して、受信した放送の内容が番組かＣＭかを判断するＣＭ期間判別機能を付加した点、および、記録・再生部５の２個のディジタル再生処理手段５４，５６を１個のディジタル再生処理手段５６で共用した点、ならびに、ディジタル再生装置５６への信号を選択するスイッチ回路６０を設けた点で相違している。
【０１５０】
上記ＣＭ期間判別機能を達成するＣＭ期間判別手段８は、ＣＭ予測手段８１と、時間管理手段８２と、ＣＭ履歴メモリ８３とを有して構成される。
【０１５１】
第６図に示すように、ＣＭ予測手段８１は、フィールド間シーンチェンジ検出手段８１１と、無音声検出器８１２と、ＣＭ判別部８１３と、ＣＭインターバル検出器８１４とから構成される。
【０１５２】
フィールド間シーンチェンジ検出手段８１１は、映像信号を監視し、フィールド間の映像信号レベル（例えば輝度信号）の違いを検出し、所定値以上の映像信号レベルの変化を検出した場合はシーンチェンジと判定し、シーンチェンジ判定信号を出力する。
【０１５３】
無音声検出器８１２は、音声信号に所定期間以上の無音声期間を検出すると無音声期間検出信号を出力する。
【０１５４】
ＣＭ判別部８１３は、映像のシーンチェンジ判定信号と無音声期間検出信号のＡＮＤを検出すると、ＣＭの開始点あるいは終了点の候補点である信号を出力する。
【０１５５】
ＣＭインターバル検出器８１４は、ＣＭ判別部から出力されるＣＭの開始点あるいは終了点の候補点である信号の放送時間間隔（例えば１５秒間隔）を監視し、該信号の時間間隔がＣＭ放送時間間隔であり、複数回連続しているときに、出力信号をＣＭの開始点または終了点検出信号と判定する。
【０１５６】
ＣＭ予測手段８１において、ＴＶ受信機３から出力される映像信号および音声信号、ならびに時間管理装置８２から出力される時間情報を用いて、ＣＭの開始点および終了点を予測する。
【０１５７】
予測したＣＭの開始点情報および終了点情報は、磁気テープに記録されるタイムシグナルと関連付けられてＣＭ履歴メモリ８３に記録される。
【０１５８】
次に、ＣＭを見かけ上カットする番組記録動作について、第６図を用いて説明する。
【０１５９】
第６図において、テレビジョン受信機３から供給される映像信号および音声信号は入力端子８５から入力される。説明を簡易的にするために、第６図では、入力端子を１系統で表している。
【０１６０】
スイッチ制御器８４は、ＣＭ履歴メモリ８３に記述された番組とＣＭとの時間的な関係、すなわち第６図の磁気テープ５１１に記録された記録データとテープ上の位置を示すタイムテーブルに基づいて動作する。タイムテーブルには、磁気テープ５１１に記録された番組とＣＭの時間的な関係が記載されている。
【０１６１】
磁気テープ５１１には、番組Ａ、ＣＭ、番組Ｂ、ＣＭ、番組Ｃのように受信した全ての内容（記録データ）がテープの始端から順に記録される。
【０１６２】
一方、ＨＤＤ装置５３には、上記タイムテーブルに従って磁気テープ５１１と同様に記録データが記録される。
【０１６３】
ＨＤＤ装置５３は、ＣＭ予測手段８１がＣＭの開始点およびＣＭの終了点を検出したとき、タイムテーブルに記述されたＣＭ期間とこのＣＭ期間の前後の所定期間（Ｔｂ）の番組の記録（以下、ＨＤＤバッファ記録という）を記録完了状態とし、他の記録を記録未完了として、引き続き記録データを記録する。
【０１６４】
このＴｂ期間は、磁気テープ上のＣＭ記録領域を高速テープ送りする期間に相当する時間が設定され、その設定時間は当該磁気テープ上のＣＭ記録領域に応じて適応的に変化するように割り当てられる。
【０１６５】
タイムテーブルのＨＤＤバッファ記録Ａ期間とＨＤＤバッファ記録Ｂ期間がＨＤＤ装置５３へ記録完了される。
【０１６６】
ＨＤＤ装置５３は、上記記録完了状態としないＨＤＤ記録領域（記録未完了領域）を、キャッシュ領域として使用し、順次繰り返し上書き記録を行うように動作する。
【０１６７】
次に、見かけ上ＣＭカットした磁気テープの再生方法について第６図を用いて説明をする。なお、第６図のタイムテーブルを今度は磁気テープと置き換えて、以下説明をする。
【０１６８】
まず、磁気テープ５１１をテープ始端に位置づけを行い番組Ａを再生する。磁気テープ上のＨＤＤバッファ記録Ａに再生がかかると、スイッチ回路６０の接点をＰＬからＢＦに切り替え、磁気テープ５１１に代わりＨＤＤ装置５３からのＨＤＤバッファ記録Ａの再生信号に切り換える。
【０１６９】
ＨＤＤ装置５３は、ＨＤＤバッファ記録Ａの前後Ｔｂ領域を再生し、ＣＭ記録領域を飛ばして再生を行う。ＨＤＤ装置５３は、アクセス速度が早くランダムアクセスが可能であることから上記動作が可能となる。
【０１７０】
ＨＤＤ装置５３がＨＤＤバッファ記録Ａの再生動作（２Ｔｂ期間を再生）行っている間、ディジタルＶＴＲ装置５１は、磁気テープ５１１を高速送り動作して番組Ｂの頭出し（番組Ｂの頭からＴａ期間進んだ位置）を行い、ＨＤＤ装置５３からのＨＤＤバッファ記録Ａの再生動作終了を待つ。
【０１７１】
ＨＤＤバッファ記録Ａの再生動作を終了すると、磁気テープから番組Ｂの再生信号に切り換えて再生動作を行う。
【０１７２】
このようにＣＭ期間を除いて再生することによって、ユーザは見かけ上ＣＭをカットした番組Ａ，Ｂ，Ｃを視聴できる。
【０１７３】
上記再生信号の切換動作は、スイッチ回路６０とスイッチ制御器８４によって実行される。
【０１７４】
上記の再生方法では、ＣＭ部分と予測されるデータ、例えば第６図のＨＤＤバッファ記録Ａ部分、ＨＤＤバッファ記録Ｂ部分をＨＤＤへ記録を行い、テープとＨＤＤとの再生信号を切換えて出力を行う方式を説明したが、別の方式を用いて構成してもよい。例えば、ＨＤＤ５２から実時間速度にてデータの読み出しを行い、ＶＴＲ装置５１から読み出すデータ速度は、前記実時間読み出し速度より高く設定すると仮定する。前記ＶＴＲ装置５１から読み出されたデータは、ＨＤＤ５２へ一旦記録され、前記ＨＤＤ５２は、前記ＶＴＲ装置５１から先読みされたデータが、すくなくとも所定時間分逐次蓄積されている状態にある。
【０１７５】
前記ＨＤＤ５２に蓄積されたデータを順次実時間再生を行うように制御が行われ、前記ＣＭと予測された部分は、ＨＤＤ５２の読み取り位置を変更することによりＣＭはカット再生することができる。また、前記ＣＭと予測された部分の再生読み出し速度を高く設定することにより、ＣＭ部分を高速に再生することができる。
【０１７６】
上記の例では記録時に判別されたＣＭ部分の情報が記憶されたＣＭ履歴メモリ８３を参照し、再生時にＨＤＤ装置を用いてＣＭ部分をカットして再生する。見かけ上は全くＣＭ部分を見ることがなかったり、また、ＣＭ部分を高速に再生することにより、番組部分を連続して見ることができるので、使い勝手が非常に良い。
【０１７７】
次に、上記ＣＭ判別方法を用いたディジタル記録再生装置の第２の例を説明する。上記第１の例は番組の記録時にＣＭ履歴メモリに記録された番組とＣＭ履歴情報をもとに、再生時に、ＣＭ部分のカット、早見再生、あるいは、早送りを行なったが、次に示す第２の例では、テレビジョン放送の番組の部分とＣＭ部分を再生時に判別し、該再生時にＣＭ部分をカット再生、早見再生、あるいは早送りする実施の形態について第１７図、第１８図および第１９図を用いて以下動作の説明を行う。この例では必ずしも常にＣＭ履歴メモリやＨＤＤ装置等の記録媒体にＣＭ履歴情報を記憶しておく必要はない。
【０１７８】
第１８図を用いて、第２の例のイメージを示す。ＣＭを含んだ圧縮ＡＶディジタル信号がＶＴＲ装置からＨＤＤ装置へ転送されバッファリングされる。この間（有効利用期間−ａ）、図示しない別の経路にて前記圧縮ＡＶディジタル信号の伸張処埋が行なわれ、伸張された信号を用いてＣＭ判別を行なう。ここで得られたＣＭ履歴情報を、ＨＤＤ装置からデータ伸張処理出力−ａをするとき、または、伸張ＡＶディジタル信号を外部に出力するときに参照することで、ＣＭをカット、早見再生、または、早送りすることが可能となる。上記の動作を繰り返すこと（データ伸張処理出力−ｂ）で長時間の再生にも対応できる。
【０１７９】
以下上記動作を行うための構成図を示し以下動作説明を行う。第１７図において、第１図と同一機能ブロックについての説明は省略する。
【０１８０】
テープ上に記録された番組の再生において、常時ＨＤＤ装置５２は、テープ上のデータをバッファリングしながら記録と再生の並列動作がなされている。バッファリングにより、ＨＤＤ装置５２から再生されたディジタルＡＶ信号は、ディジタル再生処理５６を経由した後、スイッチ回路５９へ出力される。スイッチ回路５９は接点ＨＤＤ側に切り替わり、データ伸張装置７１により前記ディジタルＡＶ信号は伸張処理が行われ、該伸張されたディジタルＡＶ信号は映像・音声分離部２０６へ入力される。映像・音声分離部２０６において、ディジタル映像信号とディジタル音声信号が分離されそれぞれ、映像出力処理部２１０、音声出力処理部２０７に入力される。映像出力部２１０および音声出力部２０７により、元の映像信号と音声信号に復元処理が行われ、夫々の信号はＣＭ予測部２０８へ入力される。ＣＭ予測部２０８および時間管理部２０９の動作は、第１の例と同様な処理が行われ、ＣＭ開始点およびＣＭ終了点の予測が行われる。
【０１８１】
一方、データ伸張装置７１から出力される伸張されたディジタルＡＶ信号は、再度ディジタル記録処理５５へ入力されてＨＤＤ装置５２へディジタル記録される。
【０１８２】
前記伸張後のディジタルＡＶ信号は、ＣＭ判別を行うために所定時間分、例えば少なくとも実時間６０秒以上分の前記ディジタルＡＶ信号の記録が常時行われる。
【０１８３】
前記映像・音声分離部２０６へ入力されるディジタルＡＶ信号の読み出し速度は、同第１７図２０３の映像・音声分離部へ入力されるディジタルＡＶ信号よりも速く読み出しが設定されてあって、常時先読み動作を行っている。これは、再生時にＣＭ部分を前もって予測を行うためであって、例えば少なくとも実時間において６０秒以上に相当するディジタルＡＶ信号の先読み動作がなされている。前記先読み再生動作において、ＣＭ予測部２０８がＣＭ開始点およびまたはＣＭ終了点を認識を行い、該認識信号は制御マイコン９１に入力され、ＨＤＤ装置５２に対して前記伸張後のディジタルＡＶ信号に対してＣＭ部分をジャンプ再生或いは、ＣＭ部分の高速再生を行うように制御される。ディジタル再生処理５６から出力された伸張後のディジタルＡＶ信号は、映像・音声分離部２０３へ入力され、ディジタル映像信号とディジタル音声信号とに分離し、それぞれ映像出力処理部２１０、音声出力処理部２０７に入力される。映像出力処理部２１０および音声出力処理部２０７により、元のアナログ映像信号と音声信号に復元処理が行われ、映像出力端子７６および音声出力端子７５から出力される。
【０１８４】
第１９図においては、圧縮ディジタルＡＶ信号において、ＣＭ部分を除外して再生を行なう例を示す。再生された圧縮ディジタルＡＶ信号はデータ伸張装置７１−ｂによりデータ伸張される。この伸張されたデータに基づきＣＭ予測を行なうことは上記と同様である。圧縮されたディジタルデータは１フレーム毎に時間を認識するためにタイムスタンプ信号が付加されている。この例では時間軸管理部２５０においてＨＤＤ装置５２に記録されている圧縮ディジタルデータのタイムスタンプ信号と対応をとりつつ、圧縮ディジタルデータを伸張し、ＣＭ部分がＣＭ予測部２０８により予測される。
【０１８５】
これにより、圧縮ディジタルデータと伸張後の時間軸を同次元に扱うことができ、タイムスタンプ信号にＣＭ情報を対応させた情報を制御器９１に送ることができる。従って、圧縮ディジタルデータが記録されているＨＤＤ装置５２において、タイムスタンプ情報だけを高速に認識することで、ＨＤＤ装置５２にバッファリングされた圧縮データのＣＭ部分をカットして再生するように制御することが可能となる。これは圧縮データのタイムコードを読み取ることで、ＣＭ位置を特定することが可能となる。上記の動作により再生された圧縮ディジタルデータはＣＭ部分がカットされており、データ伸張装置７１−ｂで伸張処理をして外部映像／音声分離部２０３を経由し出力される。この例ではＨＤＤ装置５２においてバッファリングされるデータは圧縮ディジタルＡＶデータであるので、ＨＤＤ装置５２の負担が軽くなるという利点がある。
【０１８６】
上記第２の例では、再生時にＣＭ部分の判別を行なうため、なんらＣＭ部分の判別が行われていなかった記録媒体や、他の記録再生装置で番組を記録した記録媒体についても、ＣＭ部分をカット、早見再生、早送りすることができる利点がある。
【０１８７】
次に、上記ＣＭ判別方法を用いた第３の例を第１４図を用いて説明する。第３の例は、上記第２の例と同様にＣＭ履歴メモリ等のＣＭ履歴情報だけを常に記憶させておくためのメモリを必要としないものであるが、ＣＭ部分の判別を番組記録時に行なう点で上記第２の例とは異なっている。
【０１８８】
以下上記動作を行うための構成図を示し動作説明を行う。第１４図において、第１図と同一機能ブロックについての説明は省略する。
【０１８９】
記録時において、第１４図の記録再生装置は、データ圧縮装置３６から出力されたディジタルＡＶ信号を、ディジタル記録処理部５５を介してＨＤＤ装置５２へ所定時間分のバッファリング記録を行う動作と並行し、ディジタル再生処理部５６により前記ＨＤＤ装置５２から前記バッファリングされたディジタルＡＶ信号の再生を行う。ディジタル再生処理部５６から出力されたディジタルＡＶ信号は、ディジタル記録処理５３を介してＶＴＲ装置５１にて磁気テープに記録される。
【０１９０】
該磁気テープに記録されているディジタルＡＶ信号は、データ圧縮装置３６から出力されているディジタルＡＶ信号に対して、上記バッファリングする時間分の遅延関係にて記録されている。また前記バッファリング量は、制御器９１により任意に設定することができ、上記遅延関係を自由に設定することができる。
【０１９１】
一方、ＣＭ予測部８１は、前記実施例同様に、映像のシーン切換え検出および音声の無音検出、ＣＭ放送期間の時間検出を行い、ＣＭ開始点およびＣＭ終了点予測情報を制御器９１に出力する。制御器９１は、ＶＴＲ装置５１に対して、前記ＣＭ予測情報に従い、当該ＣＭ開始点およびＣＭ終了点のを示すインデックス信号を磁気テープに記録を行うように動作する。上記インデックス信号は、テープ長手方向に対して記録或いはテープ上所定部分に記録を行ってもよい。また、制御器９１はＣＭ開始点およびＣＭ終了点予測情報に従いＣＭ部分をカットしたＡＶ信号を磁気テープに記録してもよい。また、図示しないが圧縮ディジタル信号の位置情報（タイムスタンプ信号）の処理は上記第２の例での処理と同様に時間軸管理部を設けて行っても良い。
【０１９２】
また、上記実施例は、磁気テープを対象に動作の説明を行ったが、ディスク状記録媒体、例えば光磁気ディスク、相変化型光ディスクなどにおいても、記録時にＣＭ開始点、終了点予測情報を記録してもよい。
【０１９３】
上記の例では、記録時にＣＭ部分の判別を行い、その結果をＣＭ部分を削除して、記録媒体に記録する。また、ＣＭ部分の開始点および終了点を記録媒体上にマーキングする。以上により、記録再生装置にはＣＭ履歴情報を常に記憶しておくメモリは必要とされない。また、他の記録再生装置の使用時においても本記録再生装置で判別したＣＭ部分の情報を用いることができる利点がある。なお、上記で説明した第１の例および第２の例においても、番組記録後または、再生時に、記録媒体上にＣＭ履歴情報を記録することも可能である。
【０１９４】
上記実施の形態では、ＣＭ部分のカット再生、早見再生、あるいは、早送りを例に動作説明を行ったが、ＣＭ部分以外のカット再生、早見再生、あるいは、早送りを行うことも本実施例では可能である。
【０１９５】
以上のように、本発明の第２の実施の形態によれば、テレビジョン放送の番組の部分とその途中に挿入されるＣＭ部分を記録時あるいは再生時に判別を行い、ＣＭ部分の除外（カット、早見再生、あるいは、早送り）をすることができる。
【実施例３】
【０１９６】
上記第２の実施の形態ではアナログ放送信号受信時のＣＭ部分をカット、早見再生、あるいは早送りする記録再生方法について説明したが、以下に説明する実施の形態ではディジタル圧縮データとして放送されてくるディジタル放送信号の受信した場合のＣＭ部分をカット、早見再生あるいは、早送りする記録再生方法の例を説明する。上記第２の実施の形態と同一部分や同一処理の詳細な説明は省略する。
【０１９７】
第１の例として、記録時において、ディジタル放送信号に含まれるＣＭ開始点およびＣＭ終了点の予測情報をＣＭ履歴メモリに記憶させて、再生時にＣＭ部分をカット、或いは早見再生、或いは早送りする構成を第１５図に示す。
【０１９８】
第１５図において、第１図と同一機能ブロックの説明は省略する。
【０１９９】
ディジタルテレビジョン放送を受信するアンテナ２００およびディジタル受信機２０１により、ディジタル映像信号およびディジタル音声信号および情報信号を含むディジタルＡＶ信号の受信、選択が行われる。バッファ回路２０２は、前記ディジタルＡＶ信号を所定量バッファリングを行いながら、前記ディジタルＡＶ信号の出力を行っている。前記バッファ回路は、スイッチ回路５７が接点Ｆ側に切り替わっている期間のディジタルＡＶ信号を格納するものである。
【０２００】
前記バッファ回路２０２から出力されたディジタルＡＶ信号は、データ伸張装置７１により伸張された後、映像／音声分離部２０６によりディジタル映像信号とディジタル音声信号に分離される。前記ディジタル映像信号は、映像出力処理部２１０により映像信号の変化点の検出を行い、該検出結果はＣＭ予測部２０８に入力される。一方ディジタル音声信号は、音声出力処理部２０７により、所定時間の無音声部分の検出を行い、該検出結果はＣＭ予測部２０８に入力される。時間管理部２０９は、ＣＭの基準となる時間を計測する時間情報をＣＭ予測部２０８へ入力する。ＣＭ予測部２０８により、ＣＭ開始点およびＣＭ終了点の予測を行い、該ＣＭ予測情報は、ＣＭ履歴メモリ８３へ記憶される。前記ＣＭ履歴メモリを用いた再生方法については、前記第２の実施の形態の第１の例と同一であるのでここでの説明は省略する。
【０２０１】
上記第３の実施の形態の第１の例によれば、ディジタル放送信号の場合においても、記録時においてあらかじめＣＭ部分を予測したＣＭ履歴メモリ８３の情報に従ってＣＭ部分のカット、早見再生或いは、早送り再生することができ、番組部分を連続してみることができるので、使い勝手が非常によい。
【０２０２】
次に、上記ＣＭ判別方法を用いた記録再生装置の第２の例を説明する。次に示す第２の例は、ディジタル放送を記録した記録媒体からの再生信号から、再生時においてリアルタイムにＣＭ部分の予測を行い、ＣＭ部分のカット再生、或いは早見再生、或いは早送りする記録再生装置である。第２の実施の形態における第１８図のイメージと同様であり、第１０図を用いて上記動作を説明する。尚、第１０図において、第１図と同一機能ブロックについての動作説明は省略する。
【０２０３】
第１０図において、スイッチ回路５９は、Ｔａｐｅ側に切り替わっていて、ＶＴＲ装置５１からディジタルＡＶ信号が再生されて、該スイッチ回路５９を介してデータ伸張装置７１に入力されている。データ伸張装置７１から出力される伸張処理がなされたディジタルＡＶ信号はディジタル記録処理５５を介してＨＤＤ装置５２へ所定期間バッファリング記録される。一方前兆処理がなされたディジタルＡＶ信号は、前記第１の例と同様にＣＭ予測部２０８によりＣＭ部分の予測が行われ、該ＣＭ予測情報は制御器９１へ入力される。制御器９１は前記ＣＭ予測情報に応じて、ＨＤＤ装置５２内の前記バッファリングされているディジタルＡＶ信号の再生方法を制御することにより、ＣＭ部分のカット、早見再生或いは、早送り再生することができる。また、第２の実施の形態の第２の例と同様に圧縮ディジタル信号のまま、ＣＭ部分のカット再生も可能である。
【０２０４】
上記第３の実施の形態の第２の例によれば、ディジタル放送信号を記録した記録媒体において、再生時にリアルタイムにてＣＭ部分を予測することができ、ＣＭ部分のカット、早見再生或いは、早送り再生することができ、番組部分を連続してみることができるので、使い勝手が非常によい。
【０２０５】
次に、上記ＣＭ判別方法を用いた第３の例を第１６図を用いて説明する。第３の例は、上記第２の例と同様にＣＭ履歴メモリ等のＣＭ履歴情報だけを常に記憶させておくためのメモリを必要としないものであるが、ＣＭ部分の判別を番組記録時に行なう点で上記第２の例とは異なっている。
【０２０６】
以下上記動作を行うための構成図を示し動作説明を行う。第１６図において、第１図と同一機能ブロックについての説明は省略する。
【０２０７】
ディジタルテレビジョン放送を受信するアンテナ２００およびディジタル受信機２０１により、ディジタル映像信号およびディジタル音声信号および情報信号を含むディジタルＡＶ信号の受信、選択が行われる。バッファ回路２０２は、前記ディジタルＡＶ信号を所定量バッファリングを行いながら、前記ディジタルＡＶ信号の出力を行っている。前記バッファ回路は、スイッチ回路５７が接点Ｆ側に切り替わっている期間のディジタルＡＶ信号を格納するものである。
【０２０８】
前記バッファ回路２０２から出力されたディジタルＡＶ信号は、データ伸張装置７１で伸張された後、映像／音声分離部２０６によりディジタル映像信号とディジタル音声信号に分離される。前記ディジタル映像信号は、映像出力処理部２１０により映像信号の変化点の検出を行い、該検出結果はＣＭ予測部２０８に入力される。一方ディジタル音声信号は、音声出力処理部２０７により、所定時間の無音声部分の検出を行い、該検出結果はＣＭ予測部２０８に入力される。時間管理部２０９は、ＣＭの基準となる時間を計測する時間情報をＣＭ予測部２０８へ入力する。ＣＭ予測部２０８により、ＣＭ開始点およびＣＭ終了点の予測を行い、該ＣＭ予測情報は、制御器９１へ入力される。
【０２０９】
制御器９１は、ＶＴＲ装置５１に対して、前記ＣＭ予測情報に従い、当該ＣＭ開始点およびＣＭ終了点のを示すインデックス信号を磁気テープに記録をするように動作する。上記インデックス信号は、テープ長手方向に対して記録或いはテープ上所定部分に記録を行ってもよい。また前記ＣＭ予測情報に従いＣＭ部分をカットした信号を磁気テープに記録することも可能である。
【０２１０】
また、上記実施例は、磁気テープを対象に動作の説明を行ったが、ディスク状記録媒体、例えば光磁気ディスク、相変化型光ディスクなどにおいても、記録時にＣＭ開始点、終了点予測情報を記録してもよい。
【０２１１】
以上のように、本発明の第３の実施の形態によれば、ディジタルテレビジョン放送の番組の部分とその途中に挿入されるＣＭ部分を記録時、或いは再生時に判別を行い、ＣＭ部分のカット、早見再生、あるいは、早送りをすることができる効果は大きい。
【０２１２】
以上のように本発明の第３の実施の形態ではディジタル放送受信時もＣＭ部分を除外（カット、早見再生、または、早送り）する再生方法を行なうことができることを説明した。
【実施例４】
【０２１３】
上記第２および第３の実施の形態では、上記のＣＭ判別手段は、ディジタルＡＶ信号に圧縮する前の信号を用いるか、圧縮されたディジタルＡＶ信号を伸張し、さらに元の映像信号および音声信号に変換してＣＭの判別を行う例について説明を行ったが、次の実施の形態では、伸張動作を行う前の映像圧縮データおよび音声圧縮データを用いてＣＭ判別を行う構成を第１３図を用いて以下に説明する。
【０２１４】
第１３図において、第１図または第１０図と同一機能ブロックについての動作説明は省略する。
【０２１５】
第１３図において、２２０はディジタル映像変化検出部、２２１はディジタル無音検出部である。スイッチ回路５９が接点ＨＤＤ側に切り替わってあり、ＨＤＤ装置５２からディジタルＡＶ信号がディジタル再生処理５６を介して再生される。該再生信号は、映像・音声分離部２０６により、映像圧縮ディジタル信号と音声圧縮ディジタル信号に分離処理が成される。映像圧縮ディジタル信号には、映像信号を圧縮する際にシーンチェンジ情報が含まれてあって、該シーンチェンジ信号が所定値以上である場合は、当該フレームは映像変化点と判断し、ＣＭ予測部８１へ前記判断結果を入力する。
【０２１６】
また音声圧縮ディジタル信号はディジタル無音検出部２２１により、無音期間を判断する。ディジタル音声では、無音時間のデータは高圧縮率で圧縮が可能であることから、実時間に対する圧縮データ量が少ない点に着目し、音声圧縮ディジタル信号を用いて無音期間の判別を行う。上記ＣＭ判別は、データ伸張装置７１に入力されるディジタルＡＶ信号より所定時刻の先読み動作を行うことは上記実施の形態同様である。
【０２１７】
ＣＭ開始点およびＣＭ終了点検出に対する、前記ＨＤＤ装置５２のディジタルＡＶ信号読み飛ばし点の対応関係について以下に説明する。ディジタルＡＶ信号は所定期間毎の映像信号に対して圧縮動作が成されてあって、例えばＭＰＥＧ圧縮方式においては、前記所定期間をＧＯＰといっている。従って、圧縮されたディジタルＡＶ信号であっても、ＧＯＰで纏まっているディジタルＡＶデータをとらえることにより、実時間をとらえ、前記ＣＭ開始点およびＣＭ終了点のカット再生或いは早見再生を行うことができる。
【０２１８】
ディジタル再生処理５６から出力されるディジタルＡＶ信号は、映像・音声分離部２０３へ入力され、ディジタル映像信号とディジタル音声信号とに分離し、それぞれ映像出力処理部２０５、音声出力処理部２０４に入力される。映像出力処理部２０５および音声出力処理部２０４により、元のアナログ映像信号と音声信号に復元処理が行われ、映像出力端子７６および音声出力端子７５から出力される。
【０２１９】
以上の説明はディジタル放送信号を受信したときであり、また、再生時にＣＭを判別する場合の例であるが、上記第２および第３の実施の形態にあるいずれの例においても、上記のようにＣＭ判別を映像圧縮データ、および、音声圧縮データを用いて行なうことも可能である。
【０２２０】
以上、第４の実施の形態によれば、再生時のディジタルＡＶ信号を基にＣＭ開始点およびＣＭ終了点の判別が可能となり、ディジタルＡＶ信号をダイレクトに読み出しスキップを行うことでリアルタイム再生においてのＣＭカットして再生或いはＣＭ部分の早見再生を実現することができる効果は大きい。また、圧縮されたデータを扱うのでＨＤＤ装置等への負担が少なく済む利点もある。
【実施例５】
【０２２１】
次に、第７図を用いて、本発明の第５の実施の形態におけるディジタル記録再生装置１の構成および動作について説明する。第７図は、本実施の形態におけるディジタル記録再生装置の構成を示したブロック図であり、伸長・再生処理手段７の記載を省略しており、第１実施の形態と同一部分は同一の符号を付け、それらの詳細な説明は省略する。
【０２２２】
この実施の形態は、番組を録画中あるいは予約録画中、当該番組が予定終了時刻より越えて延長放送が成されたときにおいても、当該番組と放送時刻がオーバーラップする裏番組を録画あるいは予約録画を可能としたディジタル記録再生装置を特徴としている。
【０２２３】
このため、受信・圧縮処理部３のアナログ受信機３１を除いて構成される、ディジタル処理部３’を複数設けるとともに、延長録画設定器９４および留守録画制御器９５を設けた点に構造的な特徴を有している。
【０２２４】
アナログ受信機３１は、同時に複数のテレビジョン放送を受信することが可能であり、選択したチャンネル毎に独立した映像信号と音声信号を第１のディジタル処理部３’−１およびディジタル処理部３’−２へ供給する。
【０２２５】
ここで、ディジタル処理部３’は、ＶＢＩデコーダ３２と映像ＡＤＣ３３と音声ＡＤＣ３４とビデオデコーダ３５とデータ圧縮装置３６とから構成されている。この実施の形態のディジタル記録再生装置は、該ディジタル処理部を複数（第１のディジタル処理部、第２のディジタル処理部）備えている。
【０２２６】
第１のディジタル処理部３’−１および第２のディジタル処理部３’−２により時間軸圧縮されたディジタル圧縮データは、スイッチ回路６１へ供給されている。
【０２２７】
以下、この実施の形態にかかるディジタル記録再生装置の動作を説明する。ここでは、午後９：００〜９：５４までの番組１を予約録画設定（予約録画設定１）し、午後１０：００〜午後１０：３０までの番組２を予約録画設定（予約録画設定２）している状態において、急濾番組１が２０分の時間延長放送がなされたケースを仮定して、その動作を説明する。
【０２２８】
なお、この実施の形態は、番組１が延長されるケース以外にも、番組シフト等の番組の時間変更があった場合にも対応することが可能である。
【０２２９】
ユーザは、操作パネル９３から上記予約録画設定１および予約録画設定２を入力する。この予約情報は、制御マイコン９１に供給される。
【０２３０】
午後９：００がくると、スイッチ回路６１が接点Ｄ１に接続され、ディジタル処理部３’−１からの圧縮ディジタルデータ（番組１）をディジタル記録処理５３へ供給し、ディジタルＶＴＲ装置５１は記録を開始する。
【０２３１】
次に、番組１の延長設定について以下２つの手法を説明する。
【０２３２】
第１の延長設定手法は、ユーザが番組１の延長時刻を設定し、前記番組１の予約終了時刻に当該設定した時刻を加算した時刻まで上記ディジタルＶＴＲ装置５１は番組１の記録を継続する手法である。
【０２３３】
ユーザは、予約録画設定器９４から番組１の延長時間あるいは延長終了時刻を設定する。該延長時刻設定情報は、留守録画制御器９５に供給され、制御器９１は、ディジタルＶＴＲ装置５１を該延長時刻まで記録を続けるように制御する。
【０２３４】
第２の延長予約手法２は、放送局側から番組１の延長時間情報あるいは延長終了時刻情報を情報信号に折り込んでディジタル記録再生装置へ告知して延長録画を実現する手法である。
【０２３５】
前記情報信号は、ＶＢＩデコーダ３２によりデコード処理され、該情報信号中の番組１の延長時間情報あるいは延長終了時刻情報が留守録画制御器９５へ供給される。制御器９１は、この延長終了時刻情報に基づいてディジタルＶＴＲ装置５１を延長終了時刻まで記録動作を継続するよう制御する。
【０２３６】
番組１の延長記録動作が実行されている状態で、番組２の開始時刻（午後１０：００）が到来すると、スイッチ回路６２が接点Ｄ２に接続され、ディジタル処理部３’−２からの圧縮ディジタルデータ（番組２）がディジタル記録処理手段５５へ供給されて、ＨＤＤ装置５２への記録が開始される。
【０２３７】
この番組２のＨＤＤ装置５２への記録は、番組１が終了するまで、あるいは、番組２が終了するまで行われる。
【０２３８】
上記番組１の記録が終了すると、スイッチ回路６１がＨＤＤ側に接続されＨＤＤ装置５２からディジタルＶＴＲ装置５１へ番組２を複写する。番組２の圧縮ディジタルデータは、ＨＤＤ装置５２から再生され、ディジタル再生処理手段５６、スイッチ回路６１、ディジタル記録処理５３を介してディジタルＶＴＲ装置５１へデータ転送される。
【０２３９】
上記スイッチ回路６１，６２の切換えおよびディジタルＶＴＲ装置５１，ＨＤＤ装置５２の制御は、制御器９１によって制御される。
【０２４０】
以上の通り、この実施の形態によれば、番組を録画中あるいは予約録画中、当該番組が予定終了時刻より越えて延長放送が成された時においても当該番組と放送時刻がオーバーラップする裏番組を録画あるいは予約録画することができる。
【０２４１】
以下、第５の実施の形態の変形例を説明する。
【０２４２】
第５の実施の形態では、複数の番組の予約録画を設定したときに先の番組に延長があった場合について説明したが、この実施の形態にかかるディジタル記録再生装置を、ディジタルＶＴＲのデータレートがデータ圧縮装置のデータレートより大きいことを用いて第１の実施の形態と類似した態様で動作させることによって、同一の記録媒体（磁気テープ）に、複数の番組を同時に記録することができる。
【０２４３】
以下、第８図を用いてその記録動作の態様を説明する。
【０２４４】
まず、記録媒体に複数の番組（番組１および番組２）の記録開始位置を設定し、第１のディジタル処理部３’−１からの番組１を、ＨＤＤ装置５２の第１の記録領域Ａに記録し、第２のディジタル処理装置３’−２からの番組２をＨＤＤ装置５２の第２の記録領域Ｂに記録するように設定する。
【０２４５】
初めに、番組１の記録位置付けを行った後、ＨＤＤ装置５２の第１の記録領域Ａに蓄積された番組１の所定量のデータ（１−Ａ）をディジタルＶＴＲ装置５１に転送して記録する。この場合、位置付けに要する時間９０秒であり記録に要する時間に転送されるデータ量を合計しても７５Ｍｂｙｔｅであるので転送時間は６０秒あれば十分である。
【０２４６】
この間、第１の記録領域Ａへ番組１のデータ（１−Ａ以降）の蓄積を継続し、同様に、第２の記録領域Ｂへ番組２のデータの蓄積を継続する。
【０２４７】
次いで、番組２の記録位置付けを行った後、ＨＤＤ装置５２の第２の記録領域Ｂに蓄積された番組２の所定量のデータ（２−Ａ）をディジタルＶＴＲ装置５１に転送して記録する。この場合、位置付けに要する時間９０秒であり記録に要する時間に転送されるデータ量を合計しても１８０Ｍｂｙｔｅであるので転送時間は１２０秒あれば十分である。
【０２４８】
この間、第１の記録領域Ａへ番組１のデータの蓄積を継続し、同様に、第２の記録領域Ｂへ番組２のデータ（２−Ａ以降）の蓄積を継続する。
【０２４９】
さらに、前回記録した最後の位置に番組１の記録位置付けを行った後、ＨＤＤ装置５２の第１の記録領域Ａに蓄積された番組１の所定量のデータ（１−Ｂ）をディジタルＶＴＲ装置５１に転送して記録する。この場合、位置付けに要する時間は９０秒であり記録に要する時間に転送されるデータ量を合計しても２１０Ｍｂｙｔｅであるので転送時間は１２０秒あれば十分である。
【０２５０】
この間、第１の記録領域Ａへ番組１のデータの蓄積を継続し、同様に、第２の記録領域Ｂへ番組２のデータの蓄積を継続する。
【０２５１】
次いで、前回記録した最後の位置に番組２の記録位置付けを行った後、ＨＤＤ装置５２の第２の記録領域Ｂに蓄積された番組２の所定量のデータ（２−Ｂ）をディジタルＶＴＲ装置５１に転送して記録する。この場合、位置付けに要する時間は９０秒であり記録に要する時間に転送されるデータ量を合計しても２４０Ｍｂｙｔｅであるので転送時間は１８０秒あれば十分である。
【０２５２】
この間、第１の記録領域Ａへ番組１のデータの蓄積を継続し、同様に、第２の記録領域Ｂへ番組２のデータの蓄積を継続する。
【０２５３】
さらに、前回記録した最後の位置に番組１の記録位置付けを行った後、ＨＤＤ装置５２の第１の記録領域Ａに蓄積された番組１の所定量のデータ（１−Ｃ）をディジタルＶＴＲ装置５１に転送して記録する。この場合、位置付けに要する時間９０秒であり記録に要する時間に転送されるデータ量を合計しても２７０Ｍｂｙｔｅであるので転送時間は１８０秒あれば十分である。
【０２５４】
この間、第１の記録領域Ａへ番組１のデータの蓄積を継続し、同様に、第２の記録領域Ｂへ番組２のデータの蓄積を継続する。
【０２５５】
この処理を繰り返すことによって、同一の記録媒体に同時に複数の番組を記録することができる。
【実施例６】
【０２５６】
第９図を用いて、本発明の第６の実施の形態におけるディジタル記録再生装置について説明する。第９図は、本実施の形態におけるディジタル記録再生装置の構成を示したブロック図であり、第１実施の形態と同一部分は同一の符号を付け、それらの詳細な説明は省略する。
【０２５７】
第４の実施の形態におけるディジタル記録再生装置では、可変レートの圧縮データを記録する際、あるいは磁気テープへ記録する記録レート以下のデータを記録する場合において、一旦ＨＤＤ装置５２へ所定容量を記録し、且つ前記ＨＤＤ装置５２から磁気テープへ複写することを特徴とする。
【０２５８】
まず、可変レート圧縮データについて映像圧縮手段の代表的なＭＰＥＧ圧縮方式を例に以下説明する。
【０２５９】
例えば、ＭＰＥＧ圧縮方式では、映像データをフレーム内符号化した情報（Ｉピクチャ）と、過去からの予測によってフレーム間符号化した情報（Ｐピクチャ）と、過去および未来からの予測によってフレーム間符号化した情報（Ｂピクチャ）の３つの画像情報から成り、Ｉピクチャ、Ｐピクチャ、Ｂピクチャそれぞれ所定の画像枚数から成る１単位をＧＯＰ（Ｇｒｏｕｐ Ｏｆ Ｐｉｃｔｕｒｅ）と呼ぶ。以上のＩピクチャ、Ｐピクチャ、Ｂピクチャは、以下３つの圧縮手段を用いて生成を行う。
【０２６０】
（１）空間的相関関係を利用した情報圧縮
（２）時間的相関関係を利用した情報圧縮
（３）前記２つの圧縮法で符号化する際の符号出現確立の偏りを利用した情報圧縮
空間的相関関係による情報圧縮は、１枚の映像を所定の画素ブロックに分割し、該ブロック毎にＤＣＴ変換（Ｄｉｓｃｒｅｔｅ Ｃｏｓｉｎｅ Ｔｒａｎｓｆｏｒｍ：離散コサイン変換）を行い、１枚の映像を周波数成分へ分解する情報圧縮方式であり、ＤＣＴ変換後、ＤＣＴ係数を所定値で除算を行い余りを丸めて量子化する。
【０２６１】
前記除数が大きいほど圧縮率を高くすることができるが、反面映像情報の高周波成分を削除することになり映像の品位は低くなる。
【０２６２】
時間的相関関係による圧縮は、映像の前後の絵柄情報はほとんどの場合非常に似ていることから、絵柄の変化分（動きベクトル）だけを情報とすることで映像伝達情報量を大幅に削減することができる圧縮方式である。
【０２６３】
符号の出現率の偏りによる情報圧縮は、前述のＤＣＴ係数や動きベクトルに対して出現率の高い値に短い符号長を割り当て、出現率の低い値に長い符号長をあり当てる符号体系であり、その結果平均情報量を減らすことができる。この動作を可変長符号化という。
【０２６４】
したがって、例えば、平均データレートが６Ｍｂｐｓであり、最大が１２Ｍｂｐｓで最小が４Ｍｂｐｓと、データレートは、映像ソースの絵柄により適応的に変化することになる。
【０２６５】
上記可変レートによるデータ圧縮が成された圧縮ディジタルデータの平均データレートをここで説明のために６Ｍｂｐｓに、ディジタルＶＴＲ装置５１の記録再生データレートを１２Ｍｂｐｓと仮定する。
【０２６６】
データ圧縮装置３６は、現在の圧縮レート値を制御器９１へ告知する。制御器９１は、前記圧縮レート値がディジタルＶＴＲ装置５１の記録再生データレート（１２Ｍｂｐｓ）以下あるいは以上であることを認識すると、ディジタルＶＴＲ装置５１への記録動作を停止し、前記圧縮ディジタルデータ（６Ｍｂｐｓ）をＨＤＤ装置５２へ記録する動作を開始する。
【０２６７】
ＨＤＤ装置５２に所定容量の前記圧縮ディジタルデータを記録すると、ＨＤＤ装置５２は、前記圧縮ディジタルデータ（６Ｍｂｐｓ）の記録の継続と同時に先ほどの所定容量記録した圧縮ディジタルデータの再生を開始する。
【０２６８】
当該再生された圧縮ディジタルデータは、ディジタル再生処理手段５６、スイッチ回路６３、ディジタル記録処理５３を介してディジタルＶＴＲ装置５１へ記録が開始される。
【０２６９】
前記所定容量記録した圧縮ディジタルデータの再生を終了すると、ディジタルＶＴＲ装置５１の記録動作を停止する。
【０２７０】
スイッチ回路６３は、上記間欠記録を行う場合は接点ＢＵＦ側に接続し、通常記録の場合は接点ＴＨ側に切り換える。スイッチ回路６３の切換制御は制御器９１により行われる。
【０２７１】
上記第６の実施の形熊では、圧縮ディジタルデータが可変レート記録の場合について説明したが、前記ディジタルＶＴＲ記録再生レート以下あるいは以上の固定レートであってもよい。
【０２７２】
以上のようにＨＤＤ装置５２をデータバッファとして流用し、所定容量毎にディジタルＶＴＲ装置５１を間欠記録することで、見かけ上ディジタルＶＴＲ装置５１のデータ記録レートを変更することができ、磁気テープを有効利用することができる。
【０２７３】
以上、この実施の形態の圧縮生成手段および伸張生成手段は、ＭＰＥＧ−１方式およびＭＰＥＧ−２方式に準拠したものあるいはＪＰＥＧ方式などの他の圧縮および伸張方式を用いた構成であってもよい。
【０２７４】
また、ディスク状記録媒体を説明のためＨＤＤを例に説明をしたが、前記ディスク状記録媒体は、光磁気ディスク、あるいは相変化型光ディスク、あるいは半導体メモリなどの他の記録媒体であってもよい。
【０２７５】
本明細書においては、テレビジョン放送受信方式をアナログテレビジョン放送を中心に説明をしたが、本発明は、ディジタルテレビジョン放送を受信する場合にも当然適用することができる。
【０２７６】
また、ＨＤＤ装置５２は、ＶＴＲ装置と分離したパーソナルコンピュータ等にＩＥＥＥ１３９４バス等で接続してパーソナルコンピュータに内蔵されたものを用いてもよい。同様に、制御部についてもパーソナルコンピュータ等ＶＴＲ外部の装置のものを用いることができる。
【０２７７】
以上の実施の形態の説明は、本発明を説明するためのものであって、請求の範囲の発明を限定し、或いは範囲を減縮する様に解すべきではない。
【０２７８】
また、本発明の各部の構成は、上記実施の形態に限らず、請求の範囲に記載の技術的範囲内の種々の変形が可能であることは勿論である。
【０２７９】
本発明の第２の記録媒体は、同時に記録と再生を行うことができる記録媒体であってよい。さらに、この同時に行われる記録と再生は、時間的に分割されて行われてもよい。
【産業上の利用可能性】
【０２８０】
以上のように本発明は記録媒体において、記録再生する記録再生装置において、記録再生時にさらに他の処理を行なうことができ、使い勝手が向上した。特に、ディジタル信号の処理も可能である。
【図面の簡単な説明】
【０２８１】
【図１】本発明の第１の実施の形態におけるディジタル記録再生装置の構成を示すブロック図
【図２】ＨＤＤと磁気テープの動作状況を示す図
【図３】本発明の第１の実施の形態におけるデータの転送状態を説明する図
【図４】ＨＤＤバッファ容量計算結果を示す図
【図５】本発明の第２の実施の形態におけるディジタル記録再生装置の構成を示すブロック図
【図６】ＣＭカット動作を示す図
【図７】本発明の第５の実施の形態におけるディジタル記録再生装置の構成を示すブロック図
【図８】本発明の第５の実施の形態の変形例のデータの転送状態を説明する図
【図９】本発明の第６の実施の形態におけるディジタル記録再生装置の構成を示すブロック図
【図１０】本発明の第３の実施の形態におけるディジタル記録再生装置の構成を示すブロック図
【図１１】ＣＭ除外のイメージ図
【図１２】ＣＭ除外のイメージ図
【図１３】本発明の第３の実施の形態におけるディジタル記録再生装置の構成を示すブロック図
【図１４】本発明の第２の実施の形態におけるディジタル記録再生装置の構成を示すブロック図
【図１５】本発明の第３の実施の形態におけるディジタル記録再生装置の構成を示すブロック図
【図１６】本発明の第３の実施の形態におけるディジタル記録再生装置の構成を示すブロック図
【図１７】本発明の第２の実施の形態におけるディジタル記録再生装置の構成を示すブロック図
【図１８】ディジタル信号の再生時の転送状態を説明する図
【図１９】本発明の第２の実施の形態におけるディジタル記録再生装置の構成を示すブロック図
【符号の説明】
【０２８２】
１…ディジタル記録再生装置、      ５…記録・再生部、
７…伸長・再生処理部、            ９…制御部。
【図１】
2007226956.tif 000003
【図２】
2007226956.tif 000004
【図３】
2007226956.tif 000005
【図４】
2007226956.tif 000006
【図５】
2007226956.tif 000007
【図６】
2007226956.tif 000008
【図７】
2007226956.tif 000009
【図８】
2007226956.tif 000010
【図９】
2007226956.tif 000011
【図１０】
2007226956.tif 000012
【図１１】
2007226956.tif 000013
【図１２】
2007226956.tif 000014
【図１３】
2007226956.tif 000015
【図１４】
2007226956.tif 000016
【図１５】
2007226956.tif 000017
【図１６】
2007226956.tif 000018
【図１７】
2007226956.tif 000019
【図１８】
2007226956.tif 000020
【図１９】
2007226956.tif 000021
【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
映像信号および音声信号を受信する受信手段と、
前記受信手段により受信した映像信号および音声信号を第１の記録媒体に記録する第１の記録手段と、
前記第１の記録媒体に記録された映像信号および音声信号を読み出す第１の再生手段と、
前記第１の再生手段により読み出された映像信号および音声信号の中からコマーシャルメッセージ部分を検出する検出手段と、
前記検出手段により検出されたコマーシャルメッセージ部分を映像信号および音声信号から除いて第２の記録媒体に記録する第２の記録手段と、
前記第２の記録媒体に記録された映像信号および音声信号を読み出す第２の再生手段と、を備えていることを特徴とする記録再生装置。
【請求項２】
映像信号および音声信号を受信する受信手段と、
前記受信手段により受信した映像信号および音声信号の中からコマーシャルメッセージ部分を検出する検出手段と、
前記受信手段により受信した映像信号および音声信号と、前記検出手段により検出したコマーシャル部分を示す位置情報とを第１の記録媒体に記録する第１の記録手段と、
前記第１の記録媒体に記録された映像信号および音声信号と前記位置情報を読み出す第１の再生手段と、
前記第１の再生手段により読み出された映像信号および音声信号から前記位置情報に基づいてコマーシャルメッセージ部分を除いて第２の記録媒体に記録する第２の記録手段と、
前記第２の記録媒体に記録された映像信号および音声信号を読み出す第２の再生手段と、を備えていることを特徴とする記録再生装置。
【請求項３】
前記検出手段は、前記映像信号および前記音声信号が変化する部分が所定時間間隔で発生した部分をコマーシャルメッセージ部分と検出することを特徴とする請求項１ないし２に記載の記録再生装置。
【請求項４】
前記映像信号および音声信号が変化する部分とは、前記音声信号が無音となる部分で、かつ前記映像信号のレベルが急激に変化する部分であることを特徴とする請求項３に記載の記録再生装置。